(57)【要約】  本発明に係る送信制御装置は、外部から取得したコンテンツストリームに基づいて、当該コンテンツの記録及び再生の少なくとも一方に必要な付随情報を生成し、前記コンテンツストリームに基づく第１の部分ストリームと、生成した付随情報に基づく第２の部分ストリームとからなる送信対象ストリームを、外部装置に送信する。
2011016241.tif 000002
【特許請求の範囲】
【請求項１】
外部から取得したコンテンツストリームに基づいて、当該コンテンツの記録及び再生の少なくとも一方に必要な付随情報を生成する生成手段と、
前記コンテンツストリームに基づく第１の部分ストリームと、前記生成手段が生成した付随情報に基づく第２の部分ストリームとからなる送信対象ストリームを、外部装置に送信する送信手段とを備える
ことを特徴とする送信制御装置。
【請求項２】
前記コンテンツストリーム及び前記送信対象ストリームは、トランスポートストリーム（ＴＳ）であり、
前記送信手段は、
前記第２の部分ストリームを構成する１以上のＴＳパケットには、当該ＴＳパケットが、前記付随情報に基づくデータを含むことを示す識別情報を付して送信する
ことを特徴とする請求項１記載の送信制御装置。
【請求項３】
前記送信手段は、
前記第２の部分ストリームを構成する各ＴＳパケットのパケット識別子（ＰＩＤ）に、前記第１の部分ストリームを構成する各ＴＳパケットのＰＩＤのいずれとも異なるＰＩＤを、前記識別情報として付して送信する
ことを特徴とする請求項２記載の送信制御装置。
【請求項４】
前記送信手段が、前記第２の部分ストリームを構成する各ＴＳパケットに付すＰＩＤは、当該ＴＳパケットがＮＵＬＬパケットであることを示すものであり、
前記付随情報は、コンテンツの記録及び再生の両方に必要な情報である
ことを特徴とする請求項３記載の送信制御装置。
【請求項５】
前記付随情報は、
前記コンテンツの前記外部装置への記録の制限レベルに係る制御を行うための制御情報を含み、
前記第２の部分ストリームを構成する各ＴＳパケットは、前記制御情報に基づいて暗号化されたものである
ことを特徴とする請求項２記載の送信制御装置。
【請求項６】
前記コンテンツは、
複数の部分コンテンツから構成されており、
前記制御情報は、
各部分コンテンツについてのＣＣＩ（Copy Control Information）であり、
前記送信手段は、
前記コンテンツを構成する各部分コンテンツについてのＣＣＩのうち、最も制限的な内容であるＣＣＩに対応する暗号化方式で前記暗号化を行う
ことを特徴とする請求項５記載の送信制御装置。
【請求項７】
前記付随情報は、
前記コンテンツの再生単位毎に、当該コンテンツの再生時間軸上における位置を特定する情報を含む
ことを特徴とする請求項２記載の送信制御装置。
【請求項８】
前記コンテンツは、所定の符号化方式により符号化されており、
前記付随情報は、
前記符号化方式を示す情報を含む
ことを特徴とする請求項２記載の送信制御装置。
【請求項９】
前記生成手段は、
前記コンテンツストリームが取得された際に、前記付随情報を生成するものであり、
前記送信手段は、
ユーザからの要求に基づいて、前記送信対象ストリームを送信する
ことを特徴とする請求項１記載の送信制御装置。
【請求項１０】
蓄積しているコンテンツの再生機能を有するコンテンツ蓄積再生装置における受信制御装置であって、
ストリーム記憶手段と、
付随情報記憶手段と、
請求項１記載の送信制御装置から送信された送信対象ストリームを受信し、受信した前記送信対象ストリームを構成する第１の部分ストリーム及び第２の部分ストリームに基づいて、コンテンツストリーム及び付随情報を取得し、取得したコンテンツストリームを前記ストリーム記憶手段に、取得した付随情報を前記付随情報記憶手段にそれぞれ格納する受信手段とを備える
ことを特徴とする受信制御装置。
【請求項１１】
送信制御装置における送信制御方法であって、
外部から取得したコンテンツストリームに基づいて、当該コンテンツの記録及び再生の少なくとも一方に必要な付随情報を生成する生成ステップと、
前記コンテンツストリームに基づく第１の部分ストリームと、前記生成ステップにより生成された付随情報に基づく第２の部分ストリームとからなる送信対象ストリームを、外部装置に送信する送信ステップとを含む
ことを特徴とする送信制御方法。
【請求項１２】
蓄積しているコンテンツの再生機能を有するコンテンツ蓄積再生装置における受信制御装置で用いられる受信制御方法であって、
前記受信制御装置は、
ストリーム記憶手段と、
付随情報記憶手段とを備え、
前記受信制御方法は、
請求項１記載の送信制御装置から送信された送信対象ストリームを受信し、受信した前記送信対象ストリームを構成する第１の部分ストリーム及び第２の部分ストリームに基づいて、コンテンツストリーム及び付随情報を取得し、取得したコンテンツストリームを前記ストリーム記憶手段に、取得した付随情報を前記付随情報記憶手段にそれぞれ格納する受信ステップを含む
ことを特徴とする受信制御方法。
【請求項１３】
送信制御装置で用いられるプロセッサに送信制御処理を行わせるための送信制御プログラムであって、
前記送信制御処理は、
外部から取得したコンテンツストリームに基づいて、当該コンテンツの記録及び再生の少なくとも一方に必要な付随情報を生成する生成ステップと、
前記コンテンツストリームに基づく第１の部分ストリームと、前記生成ステップにより生成された付随情報に基づく第２の部分ストリームとからなる送信対象ストリームを、外部装置に送信する送信ステップとを含む
ことを特徴とする送信制御プログラム。
【発明の詳細な説明】
【技術分野】
【０００１】
本発明は、コンテンツの記録機能を有するテレビやＢＤ（Blu-ray Disc）／ＤＶＤ（Digital Versatile Disc）レコーダ等のコンテンツ記録装置に関し、特に、記録済みのコンテンツを外部装置に送信する際の送信制御技術に関する。
【背景技術】
【０００２】
コンテンツ記録装置に記録されているコンテンツを、例えば、ＩＥＥＥ（Institute of Electrical and Electronic Engineers）１３９４やＥｔｈｅｒｎｅｔ（登録商標）等の規格に準拠するインタフェースを介してコンテンツ再生装置に対して送信し、コンテンツ再生装置上で、受信したコンテンツを再生するようなことが、従来から行われている。【０００３】
このコンテンツの送信が行われるシーンとしては、例えば、デジタル放送の番組を、リビングに設置されているコンテンツ記録装置において録画し、録画済みの番組を、寝室に設置されているコンテンツ再生装置に送信して、寝室でその番組を再生するようなことが考えられる。【０００４】
例えば、コンテンツが、ＭＰＥＧ（Moving Picture Experts Group）２−ＴＳ（Transport Stream）形式で送信される場合、コンテンツ再生装置は、受信したコンテンツストリーム全体を解析し、コンテンツの再生や記録に必要な情報（以下、「付随情報」という）を生成する必要がある。【０００５】
この付随情報には、例えば、コンテンツを構成する映像及び音声の符号化方式等の情報や、コンテンツの任意の位置からの再生や早送り等を実現するために、所定の再生時間（例えば０．５秒）毎に、その再生時間に対応するＰＴＳ（Presentation Time Stamp）とＳＰＮ（Source Packet Number）とを対応付けたタイムマップ情報や、コンテンツの記録の制限レベルに係る制御を行うためのデジタルコピー制御情報等が含まれる。【０００６】
この付随情報の生成を行うためには、コンテンツストリームを構成する各ＴＳパケットを解析する必要があるため、その処理量は比較的多くなる。従って、例えば、ユーザからの要求に基づくコンテンツストリームの送信をコンテンツ記録装置が開始してから、コンテンツ再生装置にコンテンツが記録され再生可能になるまでに、比較的長い時間を要するという問題がある。【０００７】
この問題に対しては、コンテンツ記録装置側でコンテンツストリームを解析して、ＣＣＩ（Copy Control Information）を取得しておき、送信するコンテンツストリームを構成する任意のパケットのヘッダに、ＣＣＩを付加する方法が知られている（例えば、特許文献１参照）。
【先行技術文献】
【特許文献】
【０００８】
【特許文献１】日本国特許公開２００２−８３４６５号公報
【発明の概要】
【発明が解決しようとする課題】
【０００９】
ところで、コンテンツを構成する複数の部分毎に異なるレベルのＣＣＩが設定されているケースがある。例えば、コンテンツを構成する部分Ａには「ＮＭＣ（No More Copy）」が設定され、部分Ｂには「ＣＦ（Copy Free）」が設定されているようなケースである。【００１０】
このようなケースに対応しようとすると、上記特許文献１の方法では、任意のパケットのヘッダにＣＣＩが付加されるので、コンテンツ再生装置側では、どのパケットのヘッダに含まれているか分からない各ＣＣＩを検出するために、受信した全てのパケットのヘッダを監視し続ける必要がある。【００１１】
そのため、特許文献１の方法では、コンテンツ再生装置側で受信したコンテンツストリームを解析しＣＣＩを取得するよりは多少処理量は抑えられるものの、その処理量は比較的多くなってしまう。従って、上述のコンテンツ再生装置上でコンテンツが再生可能になるまでに比較的長い時間を要するという問題と同様の問題が生じる。【００１２】
そこで、本発明は係る問題に鑑みてなされたものであり、コンテンツ記録装置において、従来とは異なる方法で、コンテンツに係るストリームの送信を開始してから、コンテンツ再生装置等の外部装置にコンテンツが記録され再生可能になるまでの時間を短縮することが可能な送信制御装置を提供することを目的とする。
【課題を解決するための手段】
【００１３】
上記課題を解決するために、本発明に係る送信制御装置は、外部から取得したコンテンツストリームに基づいて、当該コンテンツの記録及び再生の少なくとも一方に必要な付随情報を生成する生成手段と、前記コンテンツストリームに基づく第１の部分ストリームと、前記生成手段が生成した付随情報に基づく第２の部分ストリームとからなる送信対象ストリームを、外部装置に送信する送信手段とを備えることを特徴とする。
【発明の効果】
【００１４】
上述の構成を備える本発明に係る送信制御装置によれば、コンテンツに係るストリームの送信を開始してから、コンテンツ再生装置等の外部装置にコンテンツが記録され再生可能になるまでの時間を短縮することができる。
【図面の簡単な説明】
【００１５】
【図１】実施の形態に係るコンテンツ送受信システム１０００のシステム構成図
【図２】実施の形態に係る送信制御装置１１０を備えるコンテンツ記録装置１００の主要部の機能構成を示すブロック図
【図３】実施の形態に係る受信制御装置２０１を備えるコンテンツ蓄積再生装置２００の主要部の機能構成を示すブロック図
【図４】ＣＣＩの内容を説明するための図
【図５】パーシャルストリーム１０のデータ構成及び内容例を示す図
【図６】パーシャルストリーム２０のデータ構成及び内容例を示す図
【図７】パーシャルストリーム２０についての付随情報３０のデータ構成及び内容例を示す図
【図８】送信対象ストリーム４０のデータ構成及び内容例を示す図
【図９】付随情報３９を格納するＮＵＬＬパケット群５０ａを示す図
【図１０】暗号化された送信対象ストリーム６０のデータ構成及び内容例を示す図
【図１１】コンテンツ記録装置１００とコンテンツ蓄積再生装置２００との間で行われる送信対象ストリームの送受信処理を示すシーケンス図
【図１２】コンテンツ記録装置１００による送信対象ストリーム６０の生成送信処理を示すフローチャート
【図１３】コンテンツ蓄積再生装置２００による送信対象ストリーム６０の受信処理を示すフローチャート
【図１４】本発明に係る送信制御方法及び受信制御方法を説明するための図
【発明を実施するための形態】
【００１６】
以下、本発明に係る送信制御装置及び受信制御装置の一実施形態を、図面を参照しながら説明する。
【００１７】
≪実施の形態１≫
＜構成＞
＜コンテンツ送受信システム＞
図１は、実施の形態に係るコンテンツ送受信システム１０００のシステム構成図である。
【００１８】
コンテンツ送受信システム１０００は、実施の形態に係る送信制御装置を備えるコンテンツ記録装置１００と、実施の形態に係る受信制御装置を備えるコンテンツ蓄積再生装置２００とを含んで構成される。
【００１９】
コンテンツ記録装置１００は、例えば、ＰＣ（Personal Computer）やＨＤＤ（Hard Disk Drive）レコーダであり、コンテンツ蓄積再生装置２００は、例えば、ＰＣやＨＤＤレコーダや携帯端末等であり、両装置は、ユーザの自宅のそれぞれ異なる部屋に設置され、イーサネット（登録商標）に準拠したローカルネットワーク１を介して相互に接続されている。
【００２０】
また、コンテンツ蓄積再生装置２００は、表示装置３（テレビ等）とＨＤＭＩ（High‐Definition Multimedia Interface）ケーブルを介して接続されている。
【００２１】
ここで、コンテンツ記録装置１００は、任意のデジタル放送番組を指定した番組の録画要求をユーザから受け付けた際に、その録画要求で指定されている番組のコンテンツストリーム（ＭＰＥＧ２−ＴＳ形式のストリーム）を、テレビアンテナ２を介して受信し記録すると共に、このコンテンツストリームに基づいて、そのコンテンツの録画及び再生に必要な付随情報を生成し記録する機能を有する。
【００２２】
なお、記録されるコンテンツストリームを構成する各ＴＳパケットの先頭には、そのＴＳパケットの受信時刻を示すＡＴＳ（Arrival Time Stamp）が付される。以下、このＡＴＳが付された各ＴＳパケットから構成されるコンテンツストリームを「パーシャルストリーム」ともいう。
【００２３】
また、コンテンツ記録装置１００は、録画済みの任意のデジタル放送番組を指定した番組の移動開始要求又はコピー開始要求をユーザから受け付けた際に、その要求で指定された番組のパーシャルストリーム及びその付随情報に基づき生成した送信対象ストリームを、コンテンツ蓄積再生装置２００へ送信する機能を有する。
【００２４】
また、コンテンツ蓄積再生装置２００は、コンテンツ記録装置１００から送信された送信対象ストリームを受信し、受信した送信対象ストリームからパーシャルストリームと付随情報とをそれぞれ取得し、記録する機能を有する。
【００２５】
また、コンテンツ蓄積再生装置２００は、記録済みのデジタル放送番組を指定した番組の再生要求等をユーザから受け付けた際に、その要求で指定された番組のパーシャルストリーム及びその付随情報に基づいて、その番組のコンテンツを再生し、表示装置３に映像や音声を出力する機能を有する。
【００２６】
このように、コンテンツ蓄積再生装置２００は、新たに付随情報を生成することなく、コンテンツ記録装置１００から受信した送信対象ストリームに含まれている付随情報を用いて、コンテンツを再生できる。従って、送信対象ストリームの受信後すぐにコンテンツの再生が可能になる。
【００２７】
なお、本実施の形態では、コンテンツ送受信システム１０００には、コンテンツ記録装置及びコンテンツ蓄積再生装置は１台ずつ含まれるものとして説明しているが、複数台ずつ含まれてもよいし、コンテンツ記録装置の数とコンテンツ蓄積再生装置の数とは異なってもよい。
【００２８】
以下、コンテンツ記録装置１００及びコンテンツ蓄積再生装置２００の構成について、図２及び図３を用いて更に詳しく説明する。
【００２９】
＜コンテンツ記録装置＞
まず、コンテンツ記録装置１００の構成について説明する。
【００３０】
図２は、実施の形態に係る送信制御装置１１０を備えるコンテンツ記録装置１００の主要部の機能構成を示すブロック図である。
【００３１】
コンテンツ記録装置１００は、同図に示すように、送信制御装置１１０の他、選局部１０１、ストリーム記憶部１０２、付随情報記憶部１０３、ユーザインターフェース（Ｉ／Ｆ）１０４、録画制御部１０５及びストリーム記録制御部１０６を備える。
【００３２】
なお、コンテンツ記録装置１００は、プロセッサ及びメモリを含んで構成されており、選局部１０１、録画制御部１０５、ストリーム記録制御部１０６及び送信制御装置１１０の各機能は、上述のメモリに記憶されているプログラムを上述のプロセッサが実行することにより実現される。
【００３３】
ここで、選局部１０１は、デジタル放送チューナを含み、録画制御部１０５から指定されたチャンネルを含む周波数の信号を、テレビアンテナ２を介して受信するようデジタル放送チューナを制御し、受信した信号を復調してスクランブルを解除し、得られたＭＰＥＧ２−ＴＳストリームを、送信制御装置１１０の後述するデマルチプレクサ１１２に出力する機能を有する。
【００３４】
ストリーム記憶部１０２は、ハードディスク等の記憶媒体により実現され、ユーザから受け付けた番組の録画要求で指定された番組のパーシャルストリームを記憶する機能を有する。
【００３５】
パーシャルストリームは、ＡＲＩＢ（Association of Radio Industries and Broadcast）規格に準拠したＭＰＥＧ２−ＴＳ形式のストリームデータである。このパーシャルストリームのデータ構成等については、後述する（図５参照）。
【００３６】
付随情報記憶部１０３は、ハードディスク等の記憶媒体により実現され、受信したコンテンツストリームに基づいて生成された付随情報を記憶する機能を有する。
【００３７】
この付随情報は、コンテンツの再生及び記録に必要な情報であり、映像及び音声のデコードに必要な符号化情報や、コンテンツの各種再生方法に必要なタイムマップ情報や、コンテンツのコピーや移動に伴うそのコンテンツの記録の制限レベルを示すデジタルコピー制御情報等を含む。
【００３８】
ここで、コンテンツの各種再生方法には、コンテンツの再生時間軸上の先頭から通常速度で再生する通常再生の他、前回の再生中断位置から継続して再生するレジューム再生、任意の時間長だけ再生位置を移動するジャンプ再生や早送り、任意の倍率で再生速度を変化させる特殊再生等が含まれる。
【００３９】
なお、付随情報のデータ構成等については、後に詳細に説明する（図７参照）。
【００４０】
ユーザＩ／Ｆ１０４は、リモコン等の通常の入力装置を介したユーザからの要求（番組の録画要求、移動開始要求及びコピー開始要求等）を受け付け、受け付けた要求に対応する信号を、受け付けた要求の内容に応じて、録画制御部１０５及び送信制御装置１１０の後述するコンテンツ送信制御部１２０のいずれかに送出する機能を有する。
【００４１】
録画制御部１０５は、ユーザＩ／Ｆ１０４を介してユーザから受け付けた番組の録画要求で指定されているデジタル放送番組のチャンネルを選局部１０１に指定する機能を有する。また、録画制御部１０５は、選局部１０１へのチャンネルの指定後に、ストリーム記録制御部１０６及び送信制御装置１１０の後述する付随情報生成部１１６に、上記録画要求で指定されているデジタル放送番組のチャンネル（サービス）を指定した番組の記録開始等を指示する機能を有する。
【００４２】
ストリーム記録制御部１０６は、録画制御部１０５からの番組の記録開始の指示で指定されているサービスの識別情報であるサービスＩＤが、選局部１０１からデマルチプレクサ１１２に出力されたＭＰＥＧ２−ＴＳストリームのＰＡＴ（Program Association Table）に含まれていることを確認した上で、そのサービスＩＤを、デマルチプレクサ１１２に指定する機能を有する。
【００４３】
送信制御装置１１０は、生成部１１１及び送信部１１７を備える。
【００４４】
生成部１１１は、特に、ユーザから受け付けた番組の録画要求で指定された番組の付随情報を生成する機能を有し、デマルチプレクサ１１２、ビデオ解析部１１３、オーディオ解析部１１４、セクション解析部１１５及び付随情報生成部１１６を含んで構成される。
【００４５】
ここで、デマルチプレクサ１１２は、選局部１０１から出力されたＭＰＥＧ２−ＴＳストリームからストリーム記録制御部１０６から指定されたサービスＩＤに該当する各ＴＳパケットを抽出し、抽出した各ＴＳパケットの先頭に、ＡＴＳを付してパーシャル化したパーシャルストリームをストリーム記憶部１０２に格納する機能を有する。
【００４６】
なお、ＡＴＳは、そのＡＴＳが付されるＴＳパケットの受信時刻を２７ＭＨｚの３２ビットカウンタ値で表現したものである。
【００４７】
また、デマルチプレクサ１１２は、ストリーム記録制御部１０６から指定されたサービスＩＤに該当するビデオＰＥＳ（Packetized Elementary Stream）、オーディオＰＥＳ及びセクションを順次検出し、ビデオＰＥＳをビデオ解析部１１３に、オーディオＰＥＳをオーディオ解析部１１４に、セクションをセクション解析部１１５にそれぞれ送出する機能を有する。
【００４８】
ビデオ解析部１１３は、デマルチプレクサ１１２から送出されたビデオＰＥＳを解析し、そのビデオＰＥＳに含まれているピクチャータイプ、ＰＴＳ、ＰＥＳサイズ等を付随情報生成部１１６に送出する機能を有する。
【００４９】
ここで、ピクチャータイプとは、Ｉピクチャ、Ｂピクチャ及びＰピクチャのいずれかを示すものである。
【００５０】
なお、ビデオ解析部１１３は、デマルチプレクサ１１２から送出されたビデオＰＥＳに、シーケンスヘッダやＧＯＰヘッダが含まれている場合には、これらも付随情報生成部１１６に送出する。
【００５１】
オーディオ解析部１１４は、デマルチプレクサ１１２から送出されたオーディオＰＥＳを解析し、そのオーディオＰＥＳに含まれているＰＴＳ、ＰＥＳサイズ等を付随情報生成部１１６に送出する機能を有する。
【００５２】
セクション解析部１１５は、デマルチプレクサ１１２から送出されたセクションをＰＡＴ、ＰＭＴ（Program Map Table）、ＳＩＴ（Selection Information Table）等の種類毎に解析し、番組のタイトル等の他、ビデオＰＩＤやオーディオＰＩＤやＣＣＩ等を付随情報生成部１１６に送出する機能を有する。
【００５３】
付随情報生成部１１６は、ビデオ解析部１１３、オーディオ解析部１１４及びセクション解析部１１５それぞれから送出された情報に基づいて付随情報を生成し、付随情報記憶部１０３に格納する機能を有する。
【００５４】
また、送信部１１７は、ユーザＩ／Ｆ１０４を介してユーザから番組の移動開始要求又はコピー開始要求を受け付けた際に、その番組についての送信対象ストリームを生成し、コンテンツ蓄積再生装置２００に送信する機能を有する。送信部１１７は、ストリーム生成／暗号部１１８、通信Ｉ／Ｆ１１９及びコンテンツ送信制御部１２０を含んで構成される。
【００５５】
ここで、ストリーム生成／暗号部１１８は、コンテンツ送信制御部１２０からの指示に従って、ユーザにより選択された番組についてのパーシャルストリームとその付随情報とに基づいて送信対象ストリームを生成し、通信Ｉ／Ｆ１１９へ送出する機能を有する。
【００５６】
なお、詳細は後述するが、ストリーム生成／暗号部１１８は、パーシャルストリームにおけるＣＣＩの内容に応じて、パーシャルストリーム及びその付随情報を暗号化するように、送信対象ストリームを生成する。
【００５７】
また、送信対象ストリームのデータ構成等については、後述する（図８、図１０参照）。
【００５８】
通信Ｉ／Ｆ１１９は、ＮＩＣ（Network Interface Card）を含み、ローカルネットワーク１を介して他の装置（この例では、コンテンツ蓄積再生装置２００）とデータの送受信を行う機能を有する。
【００５９】
通信Ｉ／Ｆ１１９は、特に、コンテンツ送信制御部１２０からの指示に従って、送信対象ストリームの送信先の候補である他の装置を検索し、その候補の中からユーザにより選択された装置に対し、ストリーム生成／暗号部１１８から送出された送信対象ストリームの送信を行う。
【００６０】
なお、本実施の形態では、この送信先の候補の検索は、ＵＰｎＰ（Universal Plug and Play）プロトコルを用いて行い、送信対象ストリームの送信は、ＨＴＴＰ（Hyper Text Transfer Protocol）を用いて行うものとする。
【００６１】
コンテンツ送信制御部１２０は、ユーザＩ／Ｆ１０４を介して番組の移動又はコピーを行う旨のユーザ操作を受け付けた際に、通信Ｉ／Ｆ１１９に対し、送信対象ストリームの送信先の候補である他の装置の検索を指示する機能を有する。
【００６２】
また、コンテンツ送信制御部１２０は、ユーザＩ／Ｆ１０４を介して、番組の移動開始要求又はコピー開始要求をユーザから受け付けた際に、その要求で指定されている番組についての送信対象ストリームの生成を、ストリーム生成／暗号部１１８に対し指示する機能を有する。
【００６３】
なお、番組の移動開始要求又はコピー開始要求には、通信Ｉ／Ｆ１１９が検索した送信対象ストリームの送信先の候補の中からユーザが選択した送信先となる装置を指定する情報（例えば、ＩＰアドレスや、ホスト名）が含まれているものとする。
【００６４】
＜コンテンツ蓄積再生装置＞
次に、コンテンツ蓄積再生装置２００の構成について説明する。
【００６５】
図３は、実施の形態に係る受信制御装置２０１を備えるコンテンツ蓄積再生装置２００の主要部の機能構成を示すブロック図である。
【００６６】
コンテンツ蓄積再生装置２００は、同図に示すように、受信制御装置２０１の他、ユーザＩ／Ｆ２１１、付随情報管理部２１２、ストリームデコード２１３、ＡＶ（Audio Visual）出力部２１４及び再生制御部２１５を備える。
【００６７】
なお、コンテンツ蓄積再生装置２００は、プロセッサ及びメモリを含んで構成されており、付随情報管理部２１２、ストリームデコード２１３、ＡＶ出力部２１４、再生制御部２１５及び受信制御装置２０１の各機能は、上述のメモリに記憶されているプログラムを上述のプロセッサが実行することにより実現される。
【００６８】
ここで、受信制御装置２０１は、ローカルネットワーク１を介してコンテンツ記録装置１００から送信された送信対象ストリームを受信し、受信した送信対象ストリームからパーシャルストリーム及び付随情報をそれぞれ取得し記録する機能を有する。
【００６９】
受信制御装置２０１は、ストリーム記憶部２０２、付随情報記憶部２０３、受信部２０４を備える。
【００７０】
ここで、ストリーム記憶部２０２は、ハードディスク等の記憶媒体により実現され、ローカルネットワーク１を介してコンテンツ記録装置１００から受信した送信対象ストリームから取得したパーシャルストリームを記憶する機能を有する。
【００７１】
付随情報記憶部２０３は、ハードディスク等の記憶媒体により実現され、ローカルネットワーク１を介してコンテンツ記録装置１００から受信した送信対象ストリームから取得した付随情報を記憶する機能を有する。
【００７２】
受信部２０４は、通信Ｉ／Ｆ２０５及びストリーム復号／解析部２０６を含んで構成される。
【００７３】
ここで、通信Ｉ／Ｆ２０５は、ＮＩＣを含み、ローカルネットワーク１を介して他の装置（この例では、コンテンツ記録装置１００）とデータの送受信を行う機能を有する。
【００７４】
通信Ｉ／Ｆ２０５は、特に、ＵＰｎＰプロトコルに従って、コンテンツ記録装置１００からの送信対象ストリームの送信先の候補を検索するための問合せに対し応答し、ＨＴＴＰを用いてコンテンツ記録装置１００から送信対象ストリームを受信し、ストリーム復号／解析部２０６に送出する。
【００７５】
ストリーム復号／解析部２０６は、通信Ｉ／Ｆ２０５を介してコンテンツ記録装置１００から受信した送信対象ストリームを必要に応じて復号してパーシャルストリーム及び付随情報を取得し、取得したパーシャルストリームをストリーム記憶部２０２に格納し、取得した付随情報を付随情報記憶部２０３に格納する機能を有する。
【００７６】
また、ユーザＩ／Ｆ２１１は、リモコン等の通常の入力装置を介したユーザからの要求（番組の再生要求、早送り要求、特殊再生要求等）を受け付け、受け付けた要求に対応する信号を再生制御部２１５に送出する機能を有する。
【００７７】
ここで、ユーザからの要求には、要求対象の番組を指定する情報が含まれている。
【００７８】
付随情報管理部２１２は、再生制御部２１５からの指示に従って、付随情報記憶部２０３に記憶されている付随情報を読み出す機能を有する。
【００７９】
ストリームデコード２１３は、再生制御部２１５からの指示に従って、ストリーム記憶部２０２からパーシャルストリームを読み出して映像及び音声の復号を行い、得られたＲＧＢ（Red,Green,Blue）、ＰＣＭ（Pulse Code Modulation）等の非圧縮デジタルデータをＡＶ出力部２１４に送出する機能を有する。
【００８０】
ＡＶ出力部２１４は、再生制御部２１５の指示に従って、ストリームデコード２１３から送出された非圧縮デジタルデータを、ＨＤＭＩ規格に準拠してＨＤＭＩケーブルを介して表示装置３に出力する機能を有する。
【００８１】
再生制御部２１５は、ユーザＩ／Ｆ２１１を介してユーザから再生要求等を受け付けた際に、その再生要求等で指定されている番組のコンテンツの再生を制御する機能を有する。
【００８２】
再生制御部２１５は、特に、受け付けた再生要求等で指定されている番組の付随情報を読み出すよう付随情報管理部２１２に指示し、読み出された付随情報に基づいて、再生要求等で指定されている番組のパーシャルストリームについての復号をストリームデコード２１３に指示し、復号の結果得られたデータの出力をＡＶ出力部２１４に指示する。
【００８３】
＜データ＞
以下、コンテンツ送受信システム１０００において使用されるデータについて説明する。
【００８４】
＜ＣＣＩ＞
図４は、ＣＣＩの内容を説明するための図である。
【００８５】
ＣＣＩは、デジタル放送番組のコンテンツにおけるコピー制限レベルを示す情報であり、同図に示すように、ＣＦ、ＥＰＮ（Encryption Plus Non-Assertion）、ＣＯＧ（Copy One Generation）、ＮＭＣ及びＣＮ（Copy Never）の順でより厳しい制限レベルとなる５つのレベルを有するものである。
【００８６】
ここで、ＣＦは、無条件でコンテンツのコピーが可能であることを示すレベルであり、ＥＰＮは、コンテンツを暗号化して伝送することを条件に、コンテンツのコピーが可能であることを示すレベルである。
【００８７】
また、ＣＯＧは、１世代（１回）のみコピーが可能であることを示すレベルであり、ＮＭＣは、１回コピーした後は、コピー禁止であることを示すレベルである。ＣＯＧに設定された番組のコンテンツを１回コピーすることで、このコンテンツのＣＣＩは、ＣＯＧからＮＭＣに更新されることになる。
【００８８】
ＣＮは、コンテンツのコピーが禁止であることを示すレベルであり、ＣＮが設定されたコンテンツであっても、勿論、視聴は可能である。
【００８９】
なお、１つのコンテンツにおいて、同一の再生時間帯に係るビデオＥＳとオーディオＥＳとにそれぞれ異なるレベルのＣＣＩが設定されている場合には、より厳しいレベルを示すＣＣＩに従ったコピー制御が行われることになる。
【００９０】
＜パーシャルストリーム＞
図５は、パーシャルストリーム１０のデータ構成及び内容例を示す図である。
【００９１】
パーシャルストリーム１０は、同図に示すように、ユーザからの録画要求に基づいて、コンテンツ記録装置１００が受信した、ＡＲＩＢ規格に準拠したＭＰＥＧ２−ＴＳ形式のコンテンツストリームを構成する各ＴＳパケット（サイズは１８８ｂｙｔｅ）それぞれの先頭に、４ｂｙｔｅのＡＴＳが付された各ＴＳパケット（以下、「ＴＴＳ（Timestamped TS）パケット」ともいう）から構成されている。
【００９２】
パーシャルストリーム１０は、コンテンツ記録装置１００のデマルチプレクサ１１２によりストリーム記憶部１０２に格納され、ストリーム生成／暗号部１１８が送信対象ストリームを生成する際に読み出される。
【００９３】
なお、特に図示して説明しないが、パーシャルストリーム１０は、一定間隔（例えば、０．５秒毎）でランダムアクセスが可能であり、つまり、上述のように、通常再生のみならず、レジューム再生、ジャンプ再生、早送り、特殊再生といった各種再生方法に対応している。
【００９４】
また、パーシャルストリーム１０は、同図に示すように、ＰＡＴ１６及びＰＭＴ１７から構成されているセクション（ＰＳＩ）１１と、ビデオＰＥＳ（Ｉ−Ｐｉｃｔｕｒｅ）１２と、セクション（ＳＩＴ）１３と、オーディオＰＥＳ１４と、ビデオＰＥＳ（Ｐ−Ｐｉｃｔｕｒｅ）１５とを含んで構成されている。
【００９５】
なお、同図では、パーシャルストリーム１０の先頭部分のみを図示しており、この部分に後続するパーシャルストリーム１０の部分も同様の構成を有している。
【００９６】
また、同図に示すＰＩＤは、１６進数で示している。
【００９７】
また、セクション（ＰＳＩ）１１は、選局に必要な情報であるため、番組を放送する放送局から０．１秒以下の所定の間隔で繰り返し送出されるものである。また、同図では、ＰＭＴ１７が１つのＴＳパケットのみに格納されている例を示しているが、ＰＭＴのサイズによっては、複数のＴＳパケットに格納されている場合もあり、即ち、セクション（ＰＳＩ）１１は、３つ以上のＴＴＳパケットから構成されている場合もある。
【００９８】
＜パーシャルストリームの具体例＞
以下、上記パーシャルストリーム１０の具体例として、ユーザが、放送時間が連続する番組Ａと番組Ｂとからなる番組の録画を要求した場合に、コンテンツ記録装置１００に記録されるパーシャルストリーム２０について説明する。
【００９９】
図６は、パーシャルストリーム２０のデータ構成及び内容例を示す図である。
【０１００】
同図に示すように、パーシャルストリーム２０は、番組Ａストリーム１０ａと番組Ｂストリーム１０ｂとから構成されている。
【０１０１】
ここで、番組Ａストリーム１０ａは、ビデオ解像度がＨＤ（High-Definition）で、音声がサラウンド５．１Ｃｈで、字幕ありの番組Ａ（例えば、映画等の番組）についてのＭＰＥＧ２−ＴＳ形式のストリームデータである。
【０１０２】
番組Ａストリーム１０ａは、セクション（ＰＳＩ）１１ａと、ビデオＰＥＳ（Ｉ−Ｐｉｃｔｕｒｅ）１２ａと、セクション（ＳＩＴ）１３ａと、字幕ＰＥＳ１８ａ、オーディオＰＥＳ１４ａとを含んで構成されている。
【０１０３】
セクション（ＰＳＩ）１１ａには、ＣＣＩとしてＣＯＧが設定されており、図４で説明したように、この番組Ａは、１世代（１回）のみコピーが可能であることを示している。
【０１０４】
また、番組Ｂストリーム１０ｂは、ビデオ解像度がＳＤ（Standard Definition）、音声がステレオ２Ｃｈで、字幕なしの番組Ｂ（例えば、ニュース等の番組）についてのＭＰＥＧ２−ＴＳ形式のストリームデータである。
【０１０５】
番組Ｂストリーム１０ｂは、セクション（ＰＳＩ）１１ｂと、ビデオＰＥＳ（Ｉ−Ｐｉｃｔｕｒｅ）１２ｂと、セクション（ＳＩＴ）１３ｂと、オーディオＰＥＳ１４ｂとを含んで構成されている。
【０１０６】
セクション（ＰＳＩ）１１ｂには、ＣＣＩとしてＥＰＮが設定されており、図４で説明したように、この番組Ｂは、コンテンツを暗号化して伝送することを条件に、コンテンツのコピーが可能であることを示している。
【０１０７】
図６では、図５で説明したのと同様、セクション（ＰＳＩ）１１ａ及びセクション（ＰＳＩ）１１ｂは、それぞれ２つのＴＴＳパケットから構成されている例を示しており、この例では、セクション（ＰＳＩ）１１ａの先頭のＳＰＮは「０」であり、ビデオＰＥＳ（Ｉ−Ｐｉｃｔｕｒｅ）１２ａの先頭のＳＰＮは「２」であり、セクション（ＰＳＩ）１１ｂの先頭のＳＰＮは「３９１３００００」であり、ビデオＰＥＳ（Ｉ−Ｐｉｃｔｕｒｅ）１２ｂの先頭のＳＰＮは「３９１３０００２」である。
【０１０８】
なお、ＳＰＮは、パーシャルストリームファイル中でのＴＴＳパケットの位置を特定するための情報である。
【０１０９】
＜付随情報＞
図７は、パーシャルストリーム２０についての付随情報３０のデータ構成及び内容例を示す図である。
【０１１０】
付随情報３０は、コンテンツ記録装置１００のストリーム生成／暗号部１１８が送信対象ストリームを生成する際に読み出される情報であり、同図に示すように、管理情報３１と、区間詳細情報３２と、区間詳細情報３３と、デジタルコピー制御情報３４とから構成される。
【０１１１】
なお、図６に示すパーシャルストリーム２０は、ビデオ解像度、音声Ｃｈ数、字幕の有無、ＣＣＩ等が異なる２つの番組Ａ及びＢについての各ストリーム（１０ａ、１０ｂ）から構成されるものであるため、この付随情報３０の例では、２つの区間詳細情報３２及び３３を含んでいる。即ち、１つのパーシャルストリームについての付随情報に含まれる区間詳細情報の数は、そのパーシャルストリームにおけるビデオ解像度、音声Ｃｈ数、字幕の有無、ＣＣＩ等の変化の回数Ｎ（Ｎ≧０）に１加えた数と一致する。
【０１１２】
ここで、管理情報３１は、パーシャルストリーム２０全体の管理情報であり、同図に示すように、付随情報全体のサイズの他、番組のタイトルや、ジャンルや、録画日時や、Ｃｈ情報や、放送種別等を含む。
【０１１３】
なお、特に図示して説明しないが、管理情報３１は、各区間詳細情報（３２、３３）への参照情報（ポインタ）を含んでいる。
【０１１４】
また、区間詳細情報３２は、番組Ａストリーム１０ａの再生に必要な情報であり、区間管理情報３５とタイムマップ情報３６とから構成される。
【０１１５】
ここで、区間管理情報３５は、番組Ａストリーム１０ａの再生開始時間を示す開始ＰＴＳ及び再生終了時間を示す終了ＰＴＳと、各ＰＩＤ（ＰＣＲ（Program  Clock  Reference）ＰＩＤ、ビデオＰＩＤ、オーディオＰＩＤ、字幕ＰＩＤ）と、ビデオ符号化情報と、オーディオ符号化情報と、開始ＳＰＮ及び終了ＳＰＮ等を含む。
【０１１６】
また、タイムマップ情報３６は、番組Ａストリーム１０ａにおいてランダムアクセス可能な位置毎（この例では０．５秒毎）に、その位置のＰＴＳとＳＰＮとを対応付けた情報である。このタイムマップ情報３６を参照することにより、レジューム再生や、早送り等が可能になる。なお、以下では、１つのＰＴＳと、そのＰＴＳと対応付けられている１つのＳＰＮとからなる情報を「エントリ」ともいう。
【０１１７】
区間詳細情報３３は、番組Ｂストリーム１０ｂの再生に必要な情報であり、区間管理情報３７とタイムマップ情報３８とから構成される。区間管理情報３７及びタイムマップ情報３８は、番組Ｂストリーム１０ｂについての情報である点以外は、上記区間管理情報３５及びタイムマップ情報３６と同様であるため説明は省略する。
【０１１８】
また、デジタルコピー制御情報３４は、パーシャルストリーム２０の記録（コピー）に必要な情報であり、パーシャルストリーム２０に含まれる異なるＣＣＩが設定された区間毎に、その区間の先頭のＳＰＮと、ＣＣＩと、ＡＰＳ（Analog Protection System）とを対応付けたものである。
【０１１９】
付随情報３０の生成は、従来から行われている方法で実現できるため、以下では、付随情報３０の生成方法を簡単に説明する。
【０１２０】
図６のパーシャルストリーム２０の例では、コンテンツ記録装置１００のデマルチプレクサ１１２から、ビデオＰＥＳ（Ｉ−Ｐｉｃｔｕｒｅ）１２ａ及び１２ｂがビデオ解析部１１３に、オーディオＰＥＳ１４ａ及び１４ｂがオーディオ解析部１１４に、セクション（ＰＳＩ）１１ａ、セクション（ＳＩＴ）１３ａ、セクション（ＰＳＩ）１１ｂ及びセクション（ＳＩＴ）１３ｂがセクション解析部１１５へ送出される。
【０１２１】
なお、本実施の形態では、付随情報の生成に字幕ＰＥＳは用いられないため、字幕ＰＥＳ１８ａについては、いずれの解析部（１１３、１１４及び１１５）にも送出されない。
【０１２２】
各解析部（１１３、１１４及び１１５）は、デマルチプレクサ１１２から送出された情報を解析し、取得した情報を付随情報生成部１１６へ送出し、付随情報生成部１１６は、各解析部から送出された各情報を設定した付随情報３０を生成し、付随情報記憶部１０３に格納する。
【０１２３】
具体的には、ビデオ解析部１１３は、デマルチプレクサ１１２から送出されたビデオＰＥＳを解析することにより、区間管理情報３５、３７のビデオ符号化情報に設定すべきＰＴＳ、符号化タイプ、解像度、フレームレート等の復号に必要となる情報と、タイムマップ情報３６、３８に設定すべきＰＴＳとＳＰＮとからなる各組とを取得し、付随情報生成部１１６へ送出する。
【０１２４】
図６の例では、ビデオＰＥＳ（Ｉ−Ｐｉｃｔｕｒｅ）１２ａを解析することで取得された、ＰＴＳ等が区間管理情報３５のビデオ符号化情報に、ＰＴＳとＳＰＮとの各組がタイムマップ情報３６に、それぞれ付随情報生成部１１６により設定されることになる。また、ビデオＰＥＳ（Ｉ−Ｐｉｃｔｕｒｅ）１２ｂを解析することで取得されたＰＴＳ等が区間管理情報３７のビデオ符号化情報に、ＰＴＳとＳＰＮとの各組がタイムマップ情報３８に、それぞれ付随情報生成部１１６により設定されることになる。
【０１２５】
なお、更に、ビデオ解析部１１３から送出されたＰＴＳとＳＰＮとからなる各組に基づいて、区間管理情報３５、３７の開始ＰＴＳ及び終了ＰＴＳと、開始ＳＰＮ及び終了ＳＰＮとの設定も付随情報生成部１１６により行われる。
【０１２６】
また、オーディオ解析部１１４は、デマルチプレクサ１１２から送出されたオーディオＰＥＳを解析することにより、区間管理情報３５、３７のオーディオ符号化情報に設定すべきオーディオ符号化方式、チャンネル数、サンプリング周波数等の復号に必要となる情報を取得し、付随情報生成部１１６へ送出する。
【０１２７】
図６の例では、オーディオＰＥＳ１４ａを解析することで取得されたオーディオ符号化方式等が区間管理情報３５のオーディオ符号化情報に、オーディオＰＥＳ１４ｂを解析することで取得されたオーディオ符号化方式等が区間管理情報３７のオーディオ符号化情報に、それぞれ付随情報生成部１１６により設定されることになる。
【０１２８】
また、セクション解析部１１５は、デマルチプレクサ１１２から送出されたセクションを解析することにより、管理情報３１のタイトル、ジャンル、録画日時、Ｃｈ情報、放送種別等と、区間管理情報３５、３７の各ＰＩＤと、デジタルコピー制御情報３４のＣＣＩとを取得し、付随情報生成部１１６へ送出する。
【０１２９】
図６の例では、セクション（ＰＳＩ）１１ａを解析することで取得された各ＰＩＤとＣＣＩとが区間管理情報３５の各ＰＩＤとデジタルコピー制御情報３４のＣＣＩに、セクション（ＰＳＩ）１１ｂを解析することで取得された各ＰＩＤとＣＣＩが区間管理情報３７の各ＰＩＤとデジタルコピー制御情報３４のＣＣＩに、それぞれ付随情報生成部１１６により設定されることになる。
【０１３０】
なお、セクション解析部１１５から送出された各ＣＣＩは、対応するストリーム（番組Ａストリーム１０ａ又は番組Ｂストリーム１０ｂ）の開始ＳＰＮと対応付けてデジタルコピー制御情報３４に付随情報生成部１１６により設定される。
【０１３１】
また、管理情報３１は、１つのパーシャルストリームに対して常に１つのみ存在する情報であるため、図６の例では、セクション（ＳＩＴ）１３ａと１３ｂとのうち、セクション解析部１１５が最初に検出したセクション（ＳＩＴ）１３ａを解析することで取得された番組Ａのタイトル等が管理情報３１のタイトル等に付随情報生成部１１６により設定される。
【０１３２】
なお、付随情報生成部１１６は、番組の録画が終了した際に、管理情報３１に付随情報全体のサイズを設定し、また、新たな区間詳細情報を設定する際に、その時点で付随情報３０に含まれる区間詳細情報の数を示すように、管理情報３１の区間詳細情報数を設定する。
【０１３３】
また、管理情報３１のレジューム位置は、付随情報３０に係るコンテンツの再生が途中で停止された際に、設定されるものである。どのように設定されるかについては、＜動作＞の＜再生処理＞の部分で説明する。
【０１３４】
＜送信対象ストリーム＞
以下、送信対象ストリーム４０について説明する。
【０１３５】
図８は、送信対象ストリーム４０のデータ構成及び内容例を示す図である。
【０１３６】
送信対象ストリーム４０は、付随情報５０と、番組Ａストリーム１０ｃと、番組Ｂストリーム１０ｂとから構成される。
【０１３７】
ここで、番組Ａストリーム１０ｃ及び番組Ｂストリーム１０ｂは、本発明に係る第１の部分ストリームの一例であり、付随情報５０は、本発明に係る第２の部分ストリームの一例である。
【０１３８】
付随情報５０は、図７に示す付随情報３０のデジタルコピー制御情報３４のＳＰＮが「０」と対応付けられているＣＣＩを「ＣＯＧ」から「ＮＭＣ」に変更したもの（以下、「付随情報３９」という）を、１８４ｂｙｔｅ毎に分割して格納した各ＴＴＳパケットから構成される（図８のＮＵＬＬパケット群５０ａ参照）。この各ＴＴＳパケットのＰＩＤには、送信対象ストリーム４０を構成する付随情報５０以外の要素（即ち、番組Ａストリーム１０ｃ及び番組Ｂストリーム１０ｂ）を格納する各ＴＴＳパケットのＰＩＤとは異なる値が設定される。
【０１３９】
また、番組Ａストリーム１０ｃは、図６に示すパーシャルストリーム２０の番組Ａストリーム１０ａにおけるセクション（ＰＳＩ）１１ａをセクション（ＰＳＩ）１６ｃに代えたものである。
【０１４０】
このセクション（ＰＳＩ）１６ｃは、セクション（ＰＳＩ）１１ａのＣＣＩの設定値「ＣＯＧ」を「ＮＭＣ」（つまり、１回コピーした後は、コピー禁止）に変更したものである。このようにＣＣＩの設定値を変更するのは、コンテンツ記録装置１００に番組Ａを録画した時点において、「ＣＯＧ」（つまり、１世代（１回）のみコピー可能）に設定されていた番組Ａストリーム１０ａを、コンテンツ蓄積再生装置２００へ記録した後は、コピー禁止とし、コンテンツ蓄積再生装置２００からの更なるコピーを防止するためである。
【０１４１】
なお、番組Ｂストリーム１０ｂは、図６に示すパーシャルストリーム２０の番組Ｂストリーム１０ｂと同一のものである。
【０１４２】
本実施の形態では、付随情報５０を構成する各ＴＴＳパケットのＰＩＤは、「０ｘ１ＦＦＦＦ」とする。即ち、付随情報３９は、いわゆるＮＵＬＬパケットに格納されて送信されることになる。
【０１４３】
このことは、番組Ａストリーム１０ｃ及び番組Ｂストリーム１０ｂから構成されるストリームを受信する機能を有する従来のコンテンツ再生装置に対し、送信対象ストリーム４０又は後述する暗号化された送信対象ストリーム６０を送信した場合でも、各ストリーム（１０ｃ、１０ｂ）の再生が可能な点でメリットがある。
【０１４４】
これは、従来のコンテンツ再生装置では、付随情報３９が格納されて送信されるＮＵＬＬパケットは破棄されることになるため、従来のストリームを受信した場合と同様に処理できるためである。
【０１４５】
このように、本実施の形態では、コンテンツ記録装置１００は、各ＮＵＬＬパケットから構成される付随情報５０を含む送信対象ストリーム４０を送信するので、コンテンツ蓄積再生装置２００は、付随情報５０を構成する各ＴＴＳパケットを容易に判別し取得することが可能になる。
【０１４６】
＜ＮＵＬＬパケット群＞
以下、付随情報３９のデータサイズが２０００ｂｙｔｅである場合を例に、付随情報３９がどのようにＮＵＬＬパケットに格納されるかを説明する。
【０１４７】
図９は、付随情報３９を格納するＮＵＬＬパケット群５０ａを示す図である。
【０１４８】
ＮＵＬＬパケット群５０ａは、ＮＵＬＬパケット５１及びＮＵＬＬパケット５２を含む１１個のＮＵＬＬパケットから構成される。
【０１４９】
ここで、ＮＵＬＬパケット５１は、１つ目に送信されるＴＴＳパケットであり、ＡＴＳ５３と、ＴＳヘッダ５４と、付随情報（１）５５とから構成される。また、ＮＵＬＬパケット５２は、最後（１１個目）に送信されるＴＴＳパケットであり、ＡＴＳ５６と、ＴＳヘッダ５７と、付随情報（１１）５８と、スタッフィング５９とから構成される。
【０１５０】
ここで、ＡＴＳ５３及び５６と、ＴＳヘッダ５４及び５７とは、それぞれ４ｂｙｔｅのデータである。また、ＴＳヘッダ５４及び５７それぞれのＰＩＤには、上述のように、ＮＵＬＬパケットを示す「０ｘ１ＦＦＦ」が設定される。
【０１５１】
付随情報（１）５５は、付随情報３９の先頭から１８４ｂｙｔｅ分のデータであり、付随情報（１１）５８は、付随情報３９の後尾から１６０ｂｙｔｅ分のデータである。
【０１５２】
スタッフィング５９は、ＮＵＬＬパケット５２のペイロードを固定長の１８４ｂｙｔｅにするために、１６０ｂｙｔｅの付随情報（１１）５８を格納した残りの２４ｂｙｔｅを０ｘＦＦに設定したデータである。
【０１５３】
なお、付随情報は可変長のデータであるため、１８４ｂｙｔｅの整数倍の長さである場合には、スタッフィングは発生しないことになる。
【０１５４】
＜暗号化後の送信対象ストリーム＞
以下、コンテンツ記録装置１００がコンテンツ蓄積再生装置２００へ送信する暗号化された送信対象ストリーム６０について説明する。
【０１５５】
図１０は、暗号化された送信対象ストリーム６０のデータ構成及び内容例を示す図である。
【０１５６】
送信対象ストリーム６０は、付随情報６１と、番組Ａストリーム１０ｄと、番組Ｂストリーム１０ｅとから構成されており、この順番で送信される。
【０１５７】
ここで、番組Ａストリーム１０ｄ及び番組Ｂストリーム１０ｅは、本発明に係る第１の部分ストリームの一例であり、付随情報６１は、本発明に係る第２の部分ストリームの一例である。
【０１５８】
番組Ａストリーム１０ｄは、図８に示す番組Ａストリーム１０ｃを、ＧＯＰ単位で、番組Ａストリーム１０ｃのＣＣＩのレベル（この例ではＮＭＣ）に応じた強度の暗号化方式で暗号化したものである。
【０１５９】
また、番組Ｂストリーム１０ｅは、図８に示す番組Ｂストリーム１０ｂを、ＧＯＰ単位で、番組Ｂストリーム１０ｂのＣＣＩのレベル（この例ではＥＰＮ）に応じた強度の暗号化方式で暗号化したものである。
【０１６０】
即ち、番組Ａストリーム１０ｄは、番組Ｂストリーム１０ｅよりも高い強度の暗号化方式で暗号化されている。
【０１６１】
番組Ａストリーム１０ｄ及び番組Ｂストリーム１０ｅそれぞれを構成する各暗号パケットは、可変長（この例では、ＧＯＰ単位）のペイロードに、暗号化方式を示す情報等が設定された暗号ヘッダが付されたものである。
【０１６２】
また、付随情報６１は、図８に示す付随情報５０全体を暗号化したものである。即ち、付随情報６１は、１つの暗号パケットから構成される。
【０１６３】
ここで、付随情報６１の暗号化には、送信対象ストリーム６０を構成する他の要素（つまり、番組Ａストリーム１０ｄと番組Ｂストリーム１０ｅ）で用いられる暗号化方法のうち、最も高い強度の暗号化方式が採用される。つまり、上述のように、番組Ａストリーム１０ｄは、番組Ｂストリーム１０ｅよりも高い強度の暗号化方式で暗号化されているので、付随情報６１の暗号化には、番組Ａストリーム１０ｄと同じ強度の暗号化方式（即ち、ＮＭＣに対応する強度の暗号化方式）が用いられることになる。
【０１６４】
なお、本実施の形態においては、図８に示すように、番組Ａストリーム１０ｃのＣＣＩのレベルが「ＮＭＣ」であり、番組Ｂストリーム１０ｂのＣＣＩのレベルが「ＥＰＮ」である場合を例に、番組Ａストリーム１０ｄ及び番組Ｂストリーム１０ｅは、それぞれ暗号化されたものとして説明しているが、ＣＣＩのレベルが「ＣＦ」である場合には、暗号化されないことになる。
【０１６５】
また、例えば、コンテンツ全体（この例では、番組Ａ及び番組Ｂからなるコンテンツ）に設定されたＣＣＩが「ＣＦ」の場合には、付随情報も暗号化されないことになる。即ち、もしも、図８に示す番組Ａストリーム１０ｃ及び番組Ｂストリーム１０ｂのＣＣＩのレベルが共に「ＣＦ」であるとすると、送信対象ストリーム４０がそのまま送信されることになる。
【０１６６】
また、本実施の形態においては、番組Ａストリーム１０ｄ及び番組Ｂストリーム１０ｅそれぞれを構成する各暗号パケットのペイロードは、可変長（この例では、ＧＯＰ単位）であるものとして説明しているが、暗号化方式に従って、固定長の暗号パケットを用いるようにしてもよい。
【０１６７】
また、本実施の形態において利用可能な暗号技術には特に制限はなく、例えば、Ｍａｒｌｉｎ、ＷＭ  ＤＲＭ（Windows（登録商標） Media DRM）、ＤＴＣＰ／ＩＰ（Digital Transmission Content Protection over Internet Protocol）等の様々なＤＲＭ（Digital Right Management）が利用可能である。
【０１６８】
＜動作＞
以下、本実施の形態におけるコンテンツ記録装置１００及びコンテンツ蓄積再生装置２００の動作について説明する。
【０１６９】
＜全体動作＞
まず、コンテンツ記録装置１００が、番組の移動又はコピーを行う旨のユーザ操作を受け付けてから、コンテンツ蓄積再生装置２００がその番組についての送信対象ストリーム（４０又は６０）の受信を完了するまでの送信対象ストリームの送受信に係る全体動作を説明する。
【０１７０】
図１１は、コンテンツ記録装置１００とコンテンツ蓄積再生装置２００との間で行われる送信対象ストリームの送受信処理を示すシーケンス図である。
【０１７１】
なお、同図において点線で囲まれている処理（暗号伝送準備処理（ステップＳ８）及び暗号伝送終結処理（ステップＳ１５））は、送信対象ストリーム６０のような暗号化された送信対象ストリームを送受信する際に必要な処理であって、送信対象ストリーム４０のような暗号化されていない送信対象ストリームを送受信する際には必要ない処理である。
【０１７２】
まず、コンテンツ記録装置１００のコンテンツ送信制御部１２０は、ユーザＩ／Ｆ１０４を介して、番組の移動又はコピーを行う旨のユーザ操作を受け付けると、通信Ｉ／Ｆ１１９に対し、送信対象ストリームの送信先の候補である他の装置の検索を指示する。
【０１７３】
この指示を受けて、通信Ｉ／Ｆ１１９は、ＵＰｎＰプロトコルを用いて、番組の移動、コピーの機能を有する装置からの応答を要求する要求電文を、ローカルネットワーク１を介して送信し、この機能を有する装置からの応答電文を受信することで、送信対象ストリームの送信先の候補である装置を検索する（ステップＳ１）。
【０１７４】
この例では、通信Ｉ／Ｆ１１９は、コンテンツ蓄積再生装置２００のみから応答電文を受信することになる。
【０１７５】
コンテンツ送信制御部１２０は、ユーザＩ／Ｆ１０４を介して、ユーザにより選択された送信先の装置（この例では、コンテンツ蓄積再生装置２００とする）及びユーザにより選択された録画済みの番組（この例では、番組Ａ及び番組Ｂからなるコンテンツ）を指定した番組の移動開始要求又はコピー開始要求を受け付けると（ステップＳ２）、付随情報記憶部１０３に記憶されている選択された番組の付随情報３０に基づいて、番組のタイトル、ジャンル、コンテンツのサイズ、フォーマット、暗号伝送の有無等の属性情報等を送信するようストリーム生成／暗号部１１８に指示する。
【０１７６】
この指示に従って、ストリーム生成／暗号部１１８は、属性情報を、通信Ｉ／Ｆ１１９を介して、ユーザにより選択された送信先の装置（この例では、コンテンツ蓄積再生装置２００）に送信する（ステップＳ３）。
【０１７７】
なお、図７では、特に図示していないが、上記番組のフォーマットは、付随情報３０の管理情報３１や、各区間管理情報（３５、３７）のビデオ符号化情報及びオーディオ符号化情報から取得することができる。
【０１７８】
また、暗号伝送の有無については、付随情報３０のデジタルコピー制御情報３４の各ＣＣＩを参照することで判定できる。具体的には、この各ＣＣＩの中に、「ＣＦ」以外が設定されているものがある場合には、暗号伝送が必要と判定し、この各ＣＣＩが全て「ＣＦ」に設定されている場合には、暗号伝送は不要と判定する。
【０１７９】
この属性情報を受信したコンテンツ蓄積再生装置２００のストリーム復号／解析部２０６は、この属性情報に含まれるコンテンツのフォーマットや暗号伝送の有無に基づいて、これから送信されるコンテンツが、自装置が取り扱うことが可能なコンテンツ（以下では、「受入可能コンテンツ」という）であるかどうかを判定する（ステップＳ４）。
【０１８０】
受入可能コンテンツでない場合、ストリーム復号／解析部２０６は、その旨を、通信Ｉ／Ｆ２０５を介してコンテンツ記録装置１００へ送信し、コンテンツ記録装置１００及びコンテンツ蓄積再生装置２００は、送信対象ストリームの送受信処理を終了する。
【０１８１】
一方、受入可能コンテンツである場合、ストリーム復号／解析部２０６は、コンテンツＵＲＩ（Uniform Resource Identifier）を付加した肯定応答を、通信Ｉ／Ｆ２０５を介してコンテンツ記録装置１００へ送信する（ステップＳ５）。
【０１８２】
ここで、コンテンツＵＲＩは、コンテンツ蓄積再生装置２００の識別情報（ＩＰアドレスや、ホスト名とＴＣＰポート番号とを組み合わせた情報等）と、コンテンツ識別子等の文字列から構成されるものである。また、このコンテンツ識別子は、コンテンツ蓄積再生装置２００内において、そのコンテンツを一意に識別できるように、コンテンツ蓄積再生装置２００により生成される情報である。
【０１８３】
なお、ストリーム復号／解析部２０６は、生成したコンテンツ識別子とステップＳ３で受信した属性情報とを対応付けて記憶しておく。
【０１８４】
ステップＳ５で送信された肯定応答を受信したコンテンツ記録装置１００のコンテンツ送信制御部１２０は、受信した肯定応答に付加されているコンテンツＵＲＩを付加した送信要求を通信Ｉ／Ｆ１１９を介してコンテンツ蓄積再生装置２００へ送信する（ステップＳ６）。
【０１８５】
この送信要求を受信したコンテンツ蓄積再生装置２００のストリーム復号／解析部２０６は、送信対象ストリームの受信準備として、この送信要求に付加されているコンテンツＵＲＩに含まれているコンテンツ識別子と対応付けて記憶している属性情報に基づいて、コンテンツフォーマットや暗号伝送の有無等を確認しておくと共に、ＨＤＤの保存領域の確保等を行う（ステップＳ７）。
【０１８６】
なお、暗号伝送が必要な場合には、ストリーム復号／解析部２０６は、送信対象ストリームの受信準備として、更に、コンテンツ記録装置１００との間で、ライセンス認証、鍵交換等の暗号伝送準備処理も行う（ステップＳ８）。
【０１８７】
送信対象ストリームの受信準備が完了すると、ストリーム復号／解析部２０６は、コンテンツ記録装置１００に肯定応答を送信する（ステップＳ９）。
【０１８８】
以下説明するステップＳ１０〜Ｓ１３の処理内容は、後に詳細に説明するため（図１１、図１２参照）、ここでは簡単に説明する。
【０１８９】
この肯定応答を受信したコンテンツ記録装置１００のコンテンツ送信制御部１２０は、ストリーム生成／暗号部１１８に、ユーザにより選択された番組についての送信対象ストリームの生成及び送信を指示する。
【０１９０】
この指示を受けたストリーム生成／暗号部１１８は、付随情報記憶部１０３に記憶されている付随情報３０とストリーム記憶部１０２に記憶されているパーシャルストリーム２０を読み出して、暗号伝送の有無に応じて、送信対象ストリーム４０及び６０のいずれかを順次生成し、生成した送信対象ストリーム（４０又は６０）を順次、通信Ｉ／Ｆ１１９を介して送信していく（ステップＳ１０〜Ｓ１１）。
【０１９１】
送信対象ストリームの受信を開始したコンテンツ蓄積再生装置２００のストリーム復号／解析部２０６は、送信対象ストリームに含まれる付随情報とパーシャルストリームとをそれぞれ付随情報記憶部２０３とストリーム記憶部２０２とに格納していく（ステップＳ１２〜Ｓ１３）。
【０１９２】
コンテンツ蓄積再生装置２００のストリーム復号／解析部２０６は、送信対象ストリームの受信を完了すると、通信Ｉ／Ｆ２０５を介して、受信完了応答をコンテンツ記録装置１００へ送信する（ステップＳ１４）。
【０１９３】
暗号伝送を行っていた場合（つまり、ステップＳ８の処理を行っていた場合）には、ストリーム復号／解析部２０６は、更に、コンテンツ記録装置１００との間で、暗号伝送終結処理を行った上で（ステップＳ１５）、コンテンツ記録装置１００及びコンテンツ蓄積再生装置２００は、送信対象ストリームの送受信処理を終了する。
【０１９４】
なお、特に図示して説明しないが、その後、コンテンツ記録装置１００では、必要に応じて、コンテンツのコピー可能回数を減算する処理等を行われ、また、コンテンツ蓄積再生装置２００では、移動又はコピーされた番組を再生可能な状態にする処理（例えば、記録済みの番組の一覧への追加等）が行われ、ユーザからの再生要求等に応じて、その番組の再生が行われることになる。
【０１９５】
＜生成送信処理＞
以下、送信対象ストリーム６０を生成し送信する場合を例に、図１１のステップＳ１０〜Ｓ１１の処理を説明する。
【０１９６】
図１２は、コンテンツ記録装置１００による送信対象ストリーム６０の生成送信処理を示すフローチャートである。
【０１９７】
コンテンツ記録装置１００のストリーム生成／暗号部１１８は、コンテンツ送信制御部１２０からの指示に基づいて、ユーザにより選択された番組についての付随情報３０を付随情報記憶部１０３から読み出し、この付随情報３０のデジタルコピー制御情報３４のＳＰＮが「０」と対応付けられているＣＣＩを「ＣＯＧ」から「ＮＭＣ」に変更した付随情報３９を生成する。
【０１９８】
また、ストリーム生成／暗号部１１８は、付随情報用の暗号パケットの暗号ヘッダを通信Ｉ／Ｆ１１９を介してコンテンツ蓄積再生装置２００へ送信する（ステップＳ２０）。
【０１９９】
ストリーム生成／暗号部１１８は、付随情報３９を１８４ｂｙｔｅ単位で取得し（ステップＳ２１）、取得した１８４ｂｙｔｅのデータをペイロードに設定し、ＮＵＬＬパケットを示す値である「０ｘ１ＦＦＦ」が設定されたＰＩＤをＴＳヘッダに設定したＴＴＳパケットを生成する（ステップＳ２２）。
【０２００】
ストリーム生成／暗号部１１８は、ステップＳ２１で取得したデータが１８４ｂｙｔｅ未満であるか否かを判定する（ステップＳ２３）。
【０２０１】
図９に示す付随情報３９の例では、１〜１０個目のＴＴＳパケットでは、取得したデータが１８４ｂｙｔｅ未満ではないと判定され（ステップＳ２３：Ｎｏ）、１１個目のＴＴＳパケット（ＮＵＬＬパケット５２）では、取得したデータが１８４ｂｙｔｅ未満であると判定される（ステップＳ２３：Ｙｅｓ）。
【０２０２】
ステップＳ２１で取得したデータが１８４ｂｙｔｅ未満であると判定した場合には（ステップＳ２３：Ｙｅｓ）、ストリーム生成／暗号部１１８は、ステップＳ２２で生成したＴＴＳパケットのペイロードに設定されているステップＳ２１で取得したデータの直後からペイロードの終端までの間にスタッフィングバイト（０ｘＦＦ）を挿入し（ステップＳ２４）、付随情報３９全体についてのＴＴＳパケットの生成処理が完了したか否かを判定する（ステップＳ２５）。
【０２０３】
一方、ステップＳ２３において、ステップＳ２１で取得したデータが１８４ｂｙｔｅ未満ではないと判定した場合には（ステップＳ２３：Ｎｏ）、上記ステップＳ２５の判定処理を行う。
【０２０４】
ステップＳ２５において、付随情報３９全体のＴＴＳパケットの生成処理が完了していない場合には（ステップＳ２５：Ｎｏ）、ステップＳ２１から再び処理を行い、付随情報３９全体のＴＴＳパケットの生成処理が完了している場合には（ステップＳ２５：Ｙｅｓ）、生成した全てのＴＴＳパケットを暗号化し、通信Ｉ／Ｆ１１９を介してコンテンツ蓄積再生装置２００へ送信する（ステップＳ２６）。
【０２０５】
なお、このＴＴＳパケットの暗号化は、付随情報３９のデジタルコピー制御情報を参照し、設定されている各ＣＣＩのうち、最も厳しい制限レベルのＣＣＩに対応する強度の暗号化方式を用いて行われる。
【０２０６】
続いて、ストリーム生成／暗号部１１８は、ユーザにより選択された番組についてのパーシャルストリーム２０をストリーム記憶部１０２から読み出す。
【０２０７】
ストリーム生成／暗号部１１８は、読み出したパーシャルストリーム２０における番組Ａストリーム１０ａのセクション（ＰＳＩ）１１ａのＣＣＩの設定値を「ＣＯＧ」から「ＮＭＣ」に変更したパーシャルストリーム（以下、「変更パーシャルストリーム」という）を生成する。
【０２０８】
ストリーム生成／暗号部１１８は、変更パーシャルストリームをＧＯＰ単位で取得し（ステップＳ２７）、このＧＯＰ単位のデータ用の暗号パケットの暗号ヘッダを通信Ｉ／Ｆ１１９を介してコンテンツ蓄積再生装置２００へ送信する（ステップＳ２８）。
【０２０９】
また、ストリーム生成／暗号部１１８は、付随情報３９のデジタルコピー制御情報を参照し、ステップＳ２７で取得したＧＯＰ単位のデータが属する区間のＣＣＩに対応する強度の暗号化方式を用いて、このステップＳ２７で取得したＧＯＰ単位のデータを暗号化し、通信Ｉ／Ｆ１１９を介してコンテンツ蓄積再生装置２００へ送信する（ステップＳ２９）。
【０２１０】
ストリーム生成／暗号部１１８は、変更パーシャルストリーム全体の送信を完了したか否かを判定し（ステップＳ３０）、変更パーシャルストリーム全体の送信を完了していない場合には（ステップＳ３０：Ｎｏ）、ステップＳ２７から再び処理を行う。
【０２１１】
一方、変更パーシャルストリーム全体の送信を完了した場合には（ステップＳ３０：Ｙｅｓ）、ストリーム生成／暗号部１１８は、通信Ｉ／Ｆ１１９を介して、ストリームの終端を示すチャンクサイズ０のパケットをコンテンツ蓄積再生装置２００に対して送信し、生成送信処理を終了する。
【０２１２】
なお、ここでは、送信対象ストリーム６０を生成し送信する場合を例に、コンテンツ記録装置１００による生成送信処理には、ステップＳ２６及びステップＳ２９の暗号化処理が含まれているものとして説明したが、暗号化の必要がない場合（つまり、コンテンツ全体のＣＣＩが「ＣＦ」に設定されている場合）には、勿論、この暗号化処理は行われない。
【０２１３】
即ち、ステップＳ２６では、ステップＳ２２で生成された全てのＴＴＳパケット（ステップＳ２４でスタッフィングバイトの挿入が行われたＴＴＳパケットを含む）を暗号化することなくそのまま送信することになる。また、ステップＳ２９では、ステップＳ２７で取得したデータ（各ＴＴＳパケット）をそのまま送信することになる。また、ステップＳ２０及びＳ２８の処理も行われない。
【０２１４】
＜受信処理＞
以下、送信対象ストリーム６０を受信する場合を例に、図１１のステップＳ１２〜Ｓ１３の処理を説明する。
【０２１５】
図１３は、コンテンツ蓄積再生装置２００による送信対象ストリーム６０の受信処理を示すフローチャートである。
【０２１６】
コンテンツ蓄積再生装置２００の通信Ｉ／Ｆ２０５は、送信対象ストリームを構成する各データ（付随情報、パーシャルストリーム）のうち、いずれのデータを受信しているかを示す情報（以下、「受信モード」という）を、初期値（以下、「ニュートラル」という）に設定する（ステップＳ３１）。
【０２１７】
なお、この受信モードは、コンテンツ蓄積再生装置２００のメモリ上に格納されており、通信Ｉ／Ｆ２０５やストリーム復号／解析部２０６は、このメモリにアクセスすることで、この受信モードを参照し、更新することができる。
【０２１８】
また、このメモリ上には、後述する付随情報サイズ及び付随情報受信済みサイズについても格納され、参照及び更新される。
【０２１９】
続いて、通信Ｉ／Ｆ２０５は暗号パケットを受信する（ステップＳ３２）。
【０２２０】
ストリーム復号／解析部２０６は、受信モードが、パーシャルストリームを受信していることを示す「ストリーム受信中」であるか否かを判定する（ステップＳ３３）。
【０２２１】
ステップＳ３１の処理を実行した直後においては、受信モードは「ニュートラル」であるため、ストリーム復号／解析部２０６は、「ストリーム受信中」ではないと判定し（ステップＳ３３：Ｎｏ）、通信Ｉ／Ｆ２０５から暗号パケットを受領し復号し、得られた各ＴＴＳパケットのうち、先頭のＴＴＳパケットが、ＮＵＬＬパケットであるか否かを、そのＴＴＳパケットのＰＩＤが「０ｘ１ＦＦＦ」であるか否かに基づいて判定する（ステップＳ３４）。
【０２２２】
ＴＴＳパケットのＰＩＤが「０ｘ１ＦＦＦ」である場合には、そのＴＴＳパケットはＮＵＬＬパケットであると判定し（ステップＳ３４：Ｙｅｓ）、ストリーム復号／解析部２０６は、受信モードが「ニュートラル」であるか否かを判定する（ステップＳ３５）。
【０２２３】
受信モードが「ニュートラル」である場合には（ステップＳ３５：Ｙｅｓ）、ストリーム復号／解析部２０６は、受信モードを、付随情報を受信していることを示す「付随情報受信中」に更新し、先頭のＴＴＳパケットのペイロードを参照して付随情報全体のサイズを取得し、上記メモリ上の付随情報サイズに格納し、付随情報受信済みサイズを「０」に初期化する（ステップＳ３６）。
【０２２４】
ステップＳ３６の処理を完了し、又はステップＳ３５で受信モードが「ニュートラル」でない場合（ステップＳ３５：Ｎｏ）には、ストリーム復号／解析部２０６は、上記ステップＳ３４で得られた各ＴＴＳパケットのうち、ステップＳ３７の処理をまだ実行していない１つのＴＴＳパケットを先頭から順に選択し、選択したＴＴＳパケットのペイロードに含まれている付随情報３９を構成するデータを取得し、付随情報記憶部２０３に格納すると共に、このデータのサイズ分を、メモリ上の付随情報受信済みサイズに加算する（ステップＳ３７）。
【０２２５】
ストリーム復号／解析部２０６は、付随情報受信済みサイズが付随情報サイズ以上であるか否かを判定する（ステップＳ３８）。
【０２２６】
図９に示す付随情報３９の例では、１〜１０個目のＴＴＳパケットが処理対象である場合には、付随情報受信済みサイズが付随情報サイズ未満であると判定され（ステップＳ３８：Ｎｏ）、１１個目のＴＴＳパケットが処理対象である場合には、付随情報受信済みサイズが付随情報サイズ以上であると判定される（ステップＳ３８：Ｙｅｓ）。
【０２２７】
ストリーム復号／解析部２０６は、付随情報受信済みサイズが付随情報サイズ未満である場合には（ステップＳ３８：Ｎｏ）、再びステップＳ３７から処理を行い、付随情報受信済みサイズが付随情報サイズ以上である場合には（ステップＳ３８：Ｙｅｓ）、付随情報３９全体の受信を完了したとして、受信モードを「ストリーム受信中」に更新する（ステップＳ３９）。
【０２２８】
ステップＳ３９の処理を完了すると、通信Ｉ／Ｆ２０５は、新たなパケットを受信し、この受信したパケットがチャンクサイズ０のパケットであるか否かに基づいて、ストリームの終端を検出したか否かを判定する（ステップＳ４０）。
【０２２９】
また、受信したパケットがチャンクサイズ０のパケットでない場合には、通信Ｉ／Ｆ２０５は、ストリームの終端でないと判定し（ステップＳ４０：Ｎｏ）、再びステップＳ３３から処理を行う。
【０２３０】
ステップＳ３９の処理を実行した直後においては、受信モードは「ストリーム受信中」であるため（ステップＳ３３：Ｙｅｓ）、ストリーム復号／解析部２０６は、通信Ｉ／Ｆ２０５から暗号パケットを受領し復号し、得られた各ＴＴＳパケットをストリーム記憶部２０２に格納する（ステップＳ４１）。
【０２３１】
続いて、ステップＳ４０で、通信Ｉ／Ｆ２０５は、新たなパケットを受信し、受信したパケットがチャンクサイズ０のパケットでない場合には、通信Ｉ／Ｆ２０５は、ストリームの終端でないと判定し（ステップＳ４０：Ｎｏ）、再びステップＳ３３から処理を行い、受信したパケットがチャンクサイズ０のパケットである場合には、ストリームの終端であると判定し（ステップＳ４０：Ｙｅｓ）、コンテンツ蓄積再生装置２００は、受信処理を終了する。
【０２３２】
＜再生処理＞
以下では、上記受信処理を完了したコンテンツ蓄積再生装置２００による番組（コンテンツ）の再生処理を簡単に説明する。
【０２３３】
＜通常再生処理、レジューム再生処理＞
まず、番組（コンテンツ）の通常再生及びレジューム再生について説明する。
【０２３４】
コンテンツ蓄積再生装置２００の再生制御部２１５は、ユーザＩ／Ｆ２１１を介して、再生対象の番組を指定した番組の再生要求をユーザから受け付ける。
【０２３５】
再生制御部２１５は、受け付けた再生要求で指定されている番組（この例では、送信対象ストリーム６０に係る番組（番組Ａ及びＢからなる番組）であるものとする）についての付随情報（この例では、付随情報３９）の読み出しを付随情報管理部２１２に指示し、読み出された付随情報３９に含まれる管理情報３１を取得する。
【０２３６】
再生制御部２１５は、取得した管理情報３１にレジューム位置が設定されているか否かを判定し、レジューム位置の設定がされていない場合には、受け付けた再生要求で指定されている番組についての先頭、つまり、番組Ａストリーム１０ｃの先頭から再生を開始するため、読み出された付随情報３９に含まれる区間詳細情報３２を取得する。
【０２３７】
再生制御部２１５は取得した区間詳細情報３２の区間管理情報３５の各ＰＩＤ（ビデオＰＩＤ、オーディオＰＩＤ、字幕ＰＩＤ）、ビデオ符号化情報、オーディオ符号化情報をストリームデコード２１３に設定する。
【０２３８】
また、再生制御部２１５は、区間管理情報３５の開始ＳＰＮ及び終了ＳＰＮを指定して、ストリームデコード２１３に通常再生開始を指示する。
【０２３９】
ストリームデコード２１３は、指定された開始ＳＰＮを持つストリームデータから終了ＳＰＮを持つストリームデータまで順に処理対象として、処理対象をストリーム記憶部２０２から読み出し、予め設定されたビデオＰＩＤ、オーディオＰＩＤ、字幕ＰＩＤを用いて、ＭＰＥＧ２−ＴＳパケットのデマルチ処理を行った後に、ビデオ、オーディオ、字幕を夫々、設定されている各符号化情報に従ってデコードする。
【０２４０】
ストリームデコード２１３はデコードされたビデオ、オーディオ、字幕をＡＶ出力部２１４へ送出し、ＡＶ出力部２１４は、ＨＤＭＩ規格に準拠してＨＤＭＩケーブルを介して表示装置３に出力する。
【０２４１】
以降、ストリームデコード２１３は、再生制御部２１５から通常再生の停止指示を受けるまで、上記処理を継続する。これにより、ユーザからの再生要求に係る番組の再生が継続される。
【０２４２】
再生制御部２１５が、ユーザＩ／Ｆ２１１を介して、再生の停止要求をユーザから受け付けると、ストリームデコード２１３に再生の一時停止を指示する。
【０２４３】
ストリームデコード２１３は一時停止指示を受けると、直ちにデコードを停止し、停止位置を示すＰＴＳを再生制御部２１５に送出する。
【０２４４】
再生制御部２１５はストリームデコード２１３から受信したＰＴＳを管理情報３１のレジューム位置に設定する。
【０２４５】
これにより、次に、同一の番組（この例では番組Ａ及びＢからなる番組）を指定した番組の再生要求をユーザから受け付けた場合には、レジューム位置からの再生（レジューム再生）が可能になる。
【０２４６】
即ち、次に、同一の番組を指定した番組の再生要求をユーザから受け付けた場合には、上述のように、取得した管理情報３１にレジューム位置が設定されているか否かを判定した際に、レジューム位置の設定がされているので、再生制御部２１５は、上述のように区間管理情報３５の開始ＳＰＮを指定した通常再生開始の指示を行うことに代えて以下説明する通常再生の指示を、ストリームデコード２１３に対して行う。
【０２４７】
即ち、再生制御部２１５は、付随情報管理部２１２に付随情報３９に含まれるタイムマップ情報３６及び３８を取得し、このタイムマップ情報３６及び３８から、管理情報３１のレジューム位置に設定されているＰＴＳに最も近いＰＴＳと対応付けられているＳＰＮを取得する。
【０２４８】
再生制御部２１５は取得したＳＰＮを指定した通常再生開始の指示をストリームデコード２１３に対して行う。
【０２４９】
以降、ストリームデコード２１３は、指定されたＳＰＮを持つストリームデータから終了ＳＰＮを持つストリームデータまで順に処理対象として、上記処理を行うことになる。
【０２５０】
なお、再生の停止要求をユーザから受け付けることなく、再生要求に係る番組の最後まで再生が行われた場合には、再生制御部２１５は管理情報３１のレジューム位置をクリアしておく。これにより、次に、同一の番組（この例では番組Ａ及びＢからなる番組）を指定した番組の再生要求をユーザから受け付けた場合には、番組の先頭から再生が行われることになる。
【０２５１】
＜早送り＞
次に、番組（コンテンツ）の早送りについて説明する。
【０２５２】
コンテンツ蓄積再生装置２００の再生制御部２１５は、番組の再生中に、ユーザＩ／Ｆ２１１を介して、早送り要求をユーザから受け付けると、ストリームデコード２１３に再生の一時停止を指示する。
【０２５３】
なお、この早送り要求には、早送りの速度（２倍速、１０倍速等）の指定が含まれるものとする。
【０２５４】
ストリームデコード２１３は一時停止指示を受けると、直ちにデコードを停止し、停止位置を示すＰＴＳを再生制御部２１５に送出する。
【０２５５】
再生制御部２１５は、付随情報管理部２１２の付随情報３９に含まれるタイムマップ情報３６及び３８を取得し、このタイムマップ情報３６及び３８から、受領したＰＴＳに最も近いＰＴＳを含むエントリの次のエントリのＳＰＮを取得する。
【０２５６】
再生制御部２１５は取得したＳＰＮを指定したＩ−Ｐｉｃｔｕｒｅの再生を、ストリームデコード２１３に指示し、ストリームデコード２１３はこのＩ−Ｐｉｃｔｕｒｅの再生が完了すると、再生制御部２１５に対して再生完了を通知する。
【０２５７】
再生制御部２１５はユーザからの早送り要求で指定されている早送りの速度に応じて、次のＩ−Ｐｉｃｔｕｒｅをデコードする間隔を調整した後に、次のエントリのＳＰＮを上記タイムマップ情報から取得し、取得したＳＰＮを指定したＩ−Ｐｉｃｔｕｒｅの再生を、ストリームデコード２１３に指示する。
【０２５８】
以降、再生要求に係る番組（コンテンツ）の終端に達するか、ユーザからの再生の停止要求を受け付けるまで、再生制御部２１５及びストリームデコード２１３は、同様の処理を継続する。
【０２５９】
以上のように、コンテンツ蓄積再生装置２００は、コンテンツ記録装置１００から送信された送信対象ストリームに含まれている付随情報に基づいて、コンテンツの再生を行うことができるので、従来のコンテンツ再生装置のように、送信対象ストリームに含まれているパーシャルストリームを解析し、付随情報を生成する必要がない。
【０２６０】
即ち、コンテンツ蓄積再生装置２００は、ユーザからの番組の移動開始要求又はコピー開始要求に基づいて送信対象ストリームの送信を開始してから、コンテンツ蓄積再生装置２００での番組（コンテンツ）の再生を開始できるまでの時間を、従来のコンテンツ再生装置よりも短縮することができる。
【０２６１】
また、送信対象ストリーム６０のように、付随情報も暗号化して伝送することもできるため、付随情報の改ざん等によるコンテンツの違法なコピー行為を抑制できる。
【０２６２】
＜補足＞
以上、本発明に係る送信制御装置及び受信制御装置を実施の形態に基づいて説明したが、以下のように変形することも可能であり、本発明は実施の形態で示した通りの送信制御装置及び受信制御装置に限られないことは勿論である。
【０２６３】
（１）実施の形態では、送信制御装置１１０は、デジタル放送番組のコンテンツストリームを、テレビアンテナ２を介して受信するものとして説明したが、他の方法により、コンテンツストリームを外部から取得するようにしてもよい。例えば、インターネット上のサーバからコンテンツストリームを取得するようにしてもよい。
【０２６４】
また、実施の形態では、ストリーム記憶部１０２に記憶されるパーシャルストリームは、デマルチプレクサ１１２が、選局部１０１から出力されたＭＰＥＧ２−ＴＳストリームからストリーム記録制御部１０６から指定されたサービスＩＤに該当する各ＴＳパケットを抽出し、抽出した各ＴＳパケットの先頭に、ＡＴＳを付してパーシャル化したものであるとして説明したが、例えば、再エンコードしたものとしてもよい。その場合、図５に示すＳＩＴのＰＩＤが、例えば「０１０」等に変更される場合もある。
【０２６５】
（２）実施の形態では、送信制御装置１１０は、コンテンツの再生及び記録に必要な付随情報３０を生成するものとして説明したが、コンテンツの再生に必要な付随情報Ａだけ、又はコンテンツの記録に必要な付随情報Ｂだけを生成し、この生成した付随情報（Ａ又はＢ）に基づいて送信対象ストリームを生成するようにしてもよい。
【０２６６】
例えば、付随情報Ａだけ又は付随情報Ｂだけを生成した場合には、コンテンツ蓄積再生装置２００において、残りの付随情報（付随情報Ｂ又はＡ）を生成する必要があるが、付随情報全体を生成する場合と比較し、処理量は低減できるので、送信制御装置１１０が送信対象ストリームの送信を開始してから、記録されたコンテンツが再生可能になるまでの時間を短縮できる。
【０２６７】
送信制御装置１１０側では、例えば、図７に示す付随情報３０のデジタルコピー制御情報３４のみ（付随情報Ｂに相当）を生成することが考えられる。この場合、コンテンツ蓄積再生装置２００側で、受信した送信対象ストリームに含まれる番組Ａ及びＢのストリームを解析して、管理情報３１、区間詳細情報３２、３３（付随情報Ａに相当）を生成することになる。
【０２６８】
（３）実施の形態では、付随情報は、送信対象ストリームの先頭部分に配置されるものとして説明したが、配置位置はこれに限らず、例えば、送信対象ストリームの後尾部分に配置されてもよいし、送信対象ストリーム中の任意の位置にまとめて、又は分割されて配置されてもよい。
【０２６９】
但し、付随情報が、送信対象ストリームの先頭部分に配置されている場合には、付随情報を受信してしまえば、送信対象ストリーム全体の受信を完了していなくても、順次コンテンツの先頭からの再生を開始できるため、送信対象ストリームの送信開始から、コンテンツの再生を開始できるまでの時間がより短縮できる点で、付随情報が、送信対象ストリームの後尾部分や、任意の１又は複数の位置に配置される場合と比較し、メリットがある。
【０２７０】
（４）実施の形態では、送信制御装置１１０は、付随情報をＴＴＳパケットに格納し送信するものとして説明したが、例えばＭＰＥＧ−ＰＳ（Program Stream）などの他のストリーム形式や付随情報のデータ形式のままの付随情報と、変更パーシャルストリームとからなる送信対象ストリーム（暗号化された送信対象ストリームを含む）を生成し送信するようにしてもよい。
【０２７１】
（５）実施の形態では、送信制御装置１１０は、生成した付随情報を格納するＴＴＳパケットのＰＩＤを、ＮＵＬＬパケットを示すＰＩＤに設定し送信するものとして説明したが、送信対象ストリームを構成する各ＴＴＳパケットから付随情報が格納されているＴＴＳパケットを識別できるように送信すれば、他の方法で送信するようにしてもよい。
【０２７２】
例えば、生成した付随情報を格納するＴＴＳパケットに、そのＴＴＳパケットに付随情報が含まれていることを示す情報を付加して送信してもよいし、生成した付随情報を格納するＴＴＳパケットのＰＩＤを、送信対象ストリームに含まれる変更パーシャルストリームを構成する各ＴＴＳパケットのＰＩＤとは異なるＰＩＤに設定してもよい。なお、この際、生成した付随情報を格納するＴＴＳパケットのＰＩＤを予めコンテンツ蓄積再生装置に通知しておいてもよい。
【０２７３】
（６）実施の形態では、コンテンツ蓄積再生装置２００は、ＨＤＭＩに対応している表示装置３と接続するものとして説明したが、ＨＤＭＩに対応してない表示装置と接続可能にしてもよい。
【０２７４】
その場合、コンテンツ蓄積再生装置２００のＡＶ出力部２１４をＤ／Ａ（Digital to Analog）変換器を含むように変形し、ストリームデコード２１３で得られたＲＧＢ、ＰＣＭ等の非圧縮デジタルデータを、接続している表示装置の入力形式に応じた電気信号（アナログ信号）に変換し、この表示装置に出力する必要がある。
【０２７５】
出力に際して、アナログ出力時のコピー禁止信号の設定を、付随情報のデジタルコピー情報に含まれる再生位置に対応するＡＰＳ（Analog Protection System）に基づいて行うように、コンテンツ蓄積再生装置２００の再生制御部２１５も変形してもよい。
【０２７６】
（７）実施の形態に係る送信制御装置及び受信制御装置それぞれは、典型的には半導体集積回路であるＬＳＩ（Large Scale Integration）として実現される。これらは個別に１チップ化されてもよいし、一部又は全てを含むように１チップ化されてもよい。ここではＬＳＩとしたが、集積度の違いにより、ＩＣ、システムＬＳＩ、スーパーＬＳＩ、ウルトラＬＳＩと呼称されることもある。
【０２７７】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【０２７８】
更には、半導体技術の進歩又は派生する別技術によりＬＳＩに置き換わる集積回路化の技術が登場すれば、当然、その技術を用いて機能ブロックの集積化を行ってもよい。バイオ技術の適応などが可能性として有り得る。
【０２７９】
（８）実施の形態において説明した送信制御装置及び受信制御装置それぞれの各処理（図１１〜１３等参照）をＣＰＵ（Central Processing Unit）に実行させるためのプログラムを、記録媒体に記録し又は各種通信路等を介して、流通させ頒布することもできる。
【０２８０】
このような記録媒体には、ＩＣ（Integrated Circuit）カード、光ディスク、フレキシブルディスク、ＲＯＭ（Read Only Memory）、フラッシュメモリ、ハードディスク等がある。
【０２８１】
流通、頒布されたプログラムは、機器におけるＣＰＵで読み取り可能なメモリ等に格納されることにより利用に供され、そのＣＰＵがそのプログラムを実行することにより実施の形態で示した送信制御装置及び受信制御装置それぞれの各機能が実現される。
【０２８２】
（９）実施の形態に係る送信制御装置及び受信制御装置に、上記（１）〜（８）の一部又は全部の変形を組み合わせて適用してもよい。
【０２８３】
（１０）以下、更に本発明の一実施形態に係る送信制御装置及び受信制御装置の構成及びその変形例と各効果について説明する。
【０２８４】
（ａ）本発明の一実施形態に係る送信制御装置は、外部から取得したコンテンツストリームに基づいて、当該コンテンツの記録及び再生の少なくとも一方に必要な付随情報を生成する生成手段と、前記コンテンツストリームに基づく第１の部分ストリームと、前記生成手段が生成した付随情報に基づく第２の部分ストリームとからなる送信対象ストリームを、外部装置に送信する送信手段とを備える。
【０２８５】
上記構成を備える本発明の一実施形態に係る送信制御装置は、コンテンツの記録及び再生の少なくとも一方に必要な付随情報を生成し、外部から取得したコンテンツストリームに基づく第１の部分ストリームと、生成した付随情報に基づく第２の部分ストリームとからなる送信対象ストリームを外部装置に送信する。
【０２８６】
これにより、送信対象ストリームを受信した外部装置は、第２の部分ストリームから、付随情報を取得することができるので、コンテンツの記録及び再生に必要な付随情報全体を生成する場合と比較し、処理量を軽減できる。
【０２８７】
従って、この送信制御装置によれば、送信対象ストリームの送信を開始してから、外部装置上に、コンテンツが記録され再生可能になるまでの時間を短縮できる。
【０２８８】
（ｂ）また、前記コンテンツストリーム及び前記送信対象ストリームは、トランスポートストリーム（ＴＳ）であり、前記送信手段は、前記第２の部分ストリームを構成する１以上のＴＳパケットには、当該ＴＳパケットが、前記付随情報に基づくデータを含むことを示す識別情報を付して送信することとしてもよい。
【０２８９】
これにより、外部装置は、送信制御装置から送信されてくる送信対象ストリームを構成する各ＴＳパケットのうち、付随情報に基づくデータを含むことを示す識別情報が付されたＴＳパケットを取得することで、送信対象ストリームから付随情報をより簡単に取得することができる。
【０２９０】
（ｃ）また、前記送信手段は、前記第２の部分ストリームを構成する各ＴＳパケットのパケット識別子（ＰＩＤ）に、前記第１の部分ストリームを構成する各ＴＳパケットのＰＩＤのいずれとも異なるＰＩＤを、前記識別情報として付して送信することとしてもよい。
【０２９１】
これにより、外部装置は、送信制御装置から送信されてくる送信対象ストリームを構成する各ＴＳパケットのうち、上記第１の部分ストリームを構成する各ＴＳパケットのＰＩＤのいずれとも異なるＰＩＤが設定されたＴＳパケットを取得することで、送信対象ストリームから付随情報をより簡単に取得することができる。
【０２９２】
（ｄ）また、前記送信手段が、前記第２の部分ストリームを構成する各ＴＳパケットに付すＰＩＤは、当該ＴＳパケットがＮＵＬＬパケットであることを示すものであり、前記付随情報は、コンテンツの記録及び再生の両方に必要な情報であることとしてもよい。
【０２９３】
ここで、ＮＵＬＬパケットであることを示すＰＩＤとは、「０ｘ１ＦＦＦＦ」である。
【０２９４】
これにより、外部装置は、送信制御装置から送信されてくる送信対象ストリームを構成する各ＴＳパケットのうち、ＮＵＬＬパケットであることを示すＰＩＤが設定されたＴＳパケットを取得することで送信対象ストリームから付随情報をより簡単に取得することができる。
【０２９５】
また、コンテンツストリームを受信してコンテンツを再生する従来のコンテンツ再生装置においては、一般的に、受信したＴＳパケットがＮＵＬＬパケットであるときには、そのパケットを破棄する処理を行う。
【０２９６】
従って、本発明に係る送信制御装置が従来のコンテンツ再生装置に対し送信対象ストリームを送信した場合でも、従来のコンテンツ再生装置は、この送信対象ストリームのうち、上記第１の部分ストリームのみを受信することになるので、コンテンツストリームを受信した場合と同様に、正常にコンテンツを再生することができる。
【０２９７】
また、この送信制御装置によれば、付随情報は、コンテンツの記録及び再生の両方に必要な情報であるため、送信対象ストリームを受信した外部装置は、第１の部分ストリームを解析することなく、第２の部分ストリームから付随情報を取得できる。
【０２９８】
従って、この送信制御装置によれば、送信対象ストリームの送信を開始してから、外部装置上に、コンテンツが記録され再生可能になるまでの時間を更に短縮できる。
【０２９９】
（ｅ）また、前記付随情報は、前記コンテンツの前記外部装置への記録の制限レベルに係る制御を行うための制御情報を含み、前記第２の部分ストリームを構成する各ＴＳパケットは、前記制御情報に基づいて暗号化されたものであることとしてもよい。
【０３００】
この送信制御装置によれば、上記第２の部分ストリームを構成する各ＴＳパケットを、暗号化して送信するので、伝送中に付随情報に含まれるコンテンツの記録の制限レベルに係る制御を行うための制御情報が改ざんされて、コンテンツが不正にコピーされるといった事態の発生を抑制できる。
【０３０１】
（ｆ）また、前記コンテンツは、複数の部分コンテンツから構成されており、前記制御情報は、各部分コンテンツについてのＣＣＩ（Copy Control Information）であり、前記送信手段は、前記コンテンツを構成する各部分コンテンツについてのＣＣＩのうち、最も制限的な内容であるＣＣＩに対応する暗号化方式で前記暗号化を行うこととしてもよい。
【０３０２】
この送信制御装置によれば、上記第２の部分ストリームを構成する各ＴＳパケットを、コンテンツを構成する各部分コンテンツに設定されているＣＣＩのうち、最も制限的な内容であるＣＣＩに対応する暗号化方式で暗号化して送信する。
【０３０３】
従って、より制限的な内容のＣＣＩが設定された、いわば重要な部分コンテンツを送信する場合ほど、暗号化強度の高い暗号化方式で付随情報を暗号し得るので、重要なコンテンツの不正コピーをより適切に制限できる。
【０３０４】
（ｇ）また、前記付随情報は、前記コンテンツの再生単位毎に、当該コンテンツの再生時間軸上における位置を特定する情報を含むこととしてもよい。
【０３０５】
これにより、外部装置は、受信した第１の部分ストリームを解析することなく、コンテンツの先頭からの再生だけでなく、コンテンツの所定の位置からのレジューム再生や、早送りについても行うことが可能になる。
【０３０６】
（ｈ）また、前記コンテンツは、所定の符号化方式により符号化されており、前記付随情報は、前記符号化方式を示す情報を含むこととしてもよい。
【０３０７】
これにより、外部装置は、受信した第１の部分ストリームを解析することなく、符号化されたコンテンツを復号し、再生することが可能になる。
【０３０８】
（ｉ）また、前記生成手段は、前記コンテンツストリームが取得された際に、前記付随情報を生成するものであり、前記送信手段は、ユーザからの要求に基づいて、前記送信対象ストリームを送信することとしてもよい。
【０３０９】
この送信制御装置によれば、コンテンツストリームが取得された際に、付随情報を生成しておくので、ユーザからの要求後、速やかに送信対象ストリームの送信を開始できる。すなわち、ユーザからの要求を受け付けてから、外部装置上に、コンテンツが記録され再生可能になるまでの時間を短縮できる。
【０３１０】
（ｊ）本発明の一実施形態に係る受信制御装置は、蓄積しているコンテンツの再生機能を有するコンテンツ蓄積再生装置における受信制御装置であって、ストリーム記憶手段と、付随情報記憶手段と、請求項１記載の送信制御装置から送信された送信対象ストリームを受信し、受信した前記送信対象ストリームを構成する第１の部分ストリーム及び第２の部分ストリームに基づいて、コンテンツストリーム及び付随情報を取得し、取得したコンテンツストリームを前記ストリーム記憶手段に、取得した付随情報を前記付随情報記憶手段にそれぞれ格納する受信手段とを備える。
【０３１１】
上記構成を備える本発明の一実施形態に係る受信制御装置は、受信した送信対象ストリームを構成する第２の部分ストリームからコンテンツの記録及び再生の少なくとも一方に必要な付随情報を取得することができるので、コンテンツの記録及び再生に必要な付随情報全体を生成する場合と比較し、処理量を軽減できる。
【０３１２】
従って、この受信制御装置を含むコンテンツ蓄積再生装置は、送信制御装置において送信対象ストリームの送信が開始されてからより短い時間で、送信対象ストリームに係るコンテンツの再生を開始できる。
【０３１３】
（ｋ）本発明の一実施形態に係る送信制御方法は、送信制御装置における送信制御方法であって、例えば、図１４（ａ）に示すように、外部から取得したコンテンツストリームに基づいて、当該コンテンツの記録及び再生の少なくとも一方に必要な付随情報を生成する生成ステップＳ５０と、前記コンテンツストリームに基づく第１の部分ストリームと、前記生成ステップにより生成された付随情報に基づく第２の部分ストリームとからなる送信対象ストリームを、外部装置に送信する送信ステップＳ５１とを含む。
【０３１４】
ここで、生成ステップＳ５０の処理は、例えば、実施の形態における＜データ＞の＜付随情報＞の部分で説明したように、送信制御装置１１０の付随情報生成部１１６が、ビデオ解析部１１３、オーディオ解析部１１４、及びセクション解析部１１５から送出された情報に基づいて付随情報３０を生成する処理に相当する。
【０３１５】
また、送信ステップＳ５１の処理は、例えば、図１２のステップＳ２０〜Ｓ３０で説明したように、コンテンツ記録装置１００の付随情報記憶部１０３から読み出した付随情報３０に基づいて生成した付随情報３９を格納した各ＴＴＳパケットからなるストリームと、ストリーム記憶部１０２から読み出したパーシャルストリーム２０に基づいて生成した変更パーシャルストリームとからなる送信対象ストリームを、コンテンツ蓄積再生装置２００に送信する処理に相当する。
【０３１６】
（ｌ）本発明の一実施形態に係る受信制御方法は、蓄積しているコンテンツの再生機能を有するコンテンツ蓄積再生装置における受信制御装置で用いられる受信制御方法であって、前記受信制御装置は、ストリーム記憶手段と、付随情報記憶手段とを備えており、例えば、図１４（ｂ）に示すように、本発明の一実施形態に係る送信制御装置から送信された送信対象ストリームを受信し、受信した前記送信対象ストリームを構成する第１の部分ストリーム及び第２の部分ストリームに基づいて、コンテンツストリーム及び付随情報を取得し、取得したコンテンツストリームを前記ストリーム記憶手段に、取得した付随情報を前記付随情報記憶手段にそれぞれ格納する受信ステップＳ６０ａ〜Ｓ６０ｂを含む。
【０３１７】
ここで、受信ステップＳ６０ａ〜Ｓ６０ｂは、例えば、図１３のＳ３１〜Ｓ４０で説明したように、コンテンツ蓄積再生装置２００は、送信対象ストリーム６０を構成する暗号パケットの受信を繰り返し行い、受信した暗号パケットを復号して得られた各ＴＴＳパケットがＮＵＬＬパケットである場合に、そのＮＵＬＬパケットに含まれているデータを取得して付随情報記憶部２０３に格納していき、付随情報３９全体の受信を完了すると、以降受信した暗号パケットを復号して得られた各ＴＴＳパケットをストリーム記憶部２０２に格納していく処理に相当する。
【産業上の利用可能性】
【０３１８】
本発明は、記録済みのコンテンツの送信制御に利用できる。
【符号の説明】
【０３１９】
１    ローカルネットワーク
２    テレビアンテナ
３    表示装置
１００    コンテンツ記録装置
１０１    選局部
１０２、２０２    ストリーム記憶部
１０３、２０３    付随情報記憶部
１０４、２１１    ユーザＩ／Ｆ
１０５    録画制御部
１０６    ストリーム記録制御部
１１０    送信制御装置
１１１    生成部
１１２    デマルチプレクサ
１１３    ビデオ解析部
１１４    オーディオ解析部
１１５    セクション解析部
１１６    付随情報生成部
１１７    送信部
１１８    ストリーム生成／暗号部
１１９、２０５    通信Ｉ／Ｆ部
１２０    コンテンツ送信制御部
２００    コンテンツ蓄積再生装置
２０１    コンテンツ受信制御装置
２０４    受信部
２０６    ストリーム復号／解析部
２１２    付随情報管理部
２１３    ストリームデコード
２１４    ＡＶ出力部
２１５    再生制御部
【図１】
2011016241.tif 000003
【図２】
2011016241.tif 000004
【図３】
2011016241.tif 000005
【図４】
2011016241.tif 000006
【図５】
2011016241.tif 000007
【図６】
2011016241.tif 000008
【図７】
2011016241.tif 000009
【図８】
2011016241.tif 000010
【図９】
2011016241.tif 000011
【図１０】
2011016241.tif 000012
【図１１】
2011016241.tif 000013
【図１２】
2011016241.tif 000014
【図１３】
2011016241.tif 000015
【図１４】
2011016241.tif 000016
【手続補正書】
【提出日】平成23年5月31日(2011.5.31)
【手続補正１】
【補正対象書類名】特許請求の範囲
【補正対象項目名】全文
【補正方法】変更
【補正の内容】
【特許請求の範囲】
【請求項１】
外部から取得した、コンテンツと自装置へのコンテンツの記録の制限レベルに係る制御を行うためのＣＣＩ（Ｃｏｐｙ  Ｃｏｎｔｒｏｌ  Ｉｎｆｏｒｍａｔｉｏｎ）とを含むコンテンツストリームに基づいて、当該コンテンツの記録及び再生の少なくとも一方に必要な情報であって、当該ＣＣＩを含む付随情報を生成する生成手段と、
前記コンテンツストリームに基づくものであって、外部装置への当該コンテンツの記録の制限レベルに係る制御を行うためのＣＣＩを含む第１の部分ストリームを含み、かつ前記生成手段が生成した付随情報に基づくものであって、当該ＣＣＩを含む第２の部分ストリームを予め定められた特定の位置に配置した送信対象ストリームを、前記外部装置に送信する送信手段とを備え、
前記コンテンツは、複数の部分コンテンツから構成されており、
前記第１及び第２の部分ストリームに含まれるＣＣＩは、前記部分コンテンツ毎に設定することが可能なものである
ことを特徴とする送信制御装置。
【請求項２】
前記コンテンツストリーム及び前記送信対象ストリームは、トランスポートストリーム（ＴＳ）であり、
前記送信手段は、
前記第２の部分ストリームを構成する１以上のＴＳパケットには、当該ＴＳパケットが、前記付随情報に基づくデータを含むことを示す識別情報を付して送信する
ことを特徴とする請求項１記載の送信制御装置。
【請求項３】
前記送信手段は、
前記第２の部分ストリームを構成する各ＴＳパケットのパケット識別子（ＰＩＤ）に、前記第１の部分ストリームを構成する各ＴＳパケットのＰＩＤのいずれとも異なるＰＩＤを、前記識別情報として付して送信する
ことを特徴とする請求項２記載の送信制御装置。
【請求項４】
前記送信手段が、前記第２の部分ストリームを構成する各ＴＳパケットに付すＰＩＤは、当該ＴＳパケットがＮＵＬＬパケットであることを示すものであり、
前記付随情報は、コンテンツの記録及び再生の両方に必要な情報である
ことを特徴とする請求項３記載の送信制御装置。
【請求項５】
前記第２の部分ストリームを構成する各ＴＳパケットは、前記制御情報に基づいて暗号化されたものである
ことを特徴とする請求項２記載の送信制御装置。
【請求項６】
前記送信手段は、
前記コンテンツを構成する各部分コンテンツについてのＣＣＩのうち、最も制限的な内容であるＣＣＩに対応する暗号化方式で前記暗号化を行う
ことを特徴とする請求項５記載の送信制御装置。
【請求項７】
前記付随情報は、
前記コンテンツの再生単位毎に、当該コンテンツの再生時間軸上における位置を特定する情報を含む
ことを特徴とする請求項２記載の送信制御装置。
【請求項８】
前記コンテンツは、所定の符号化方式により符号化されており、
前記付随情報は、
前記符号化方式を示す情報を含む
ことを特徴とする請求項２記載の送信制御装置。
【請求項９】
前記生成手段は、
前記コンテンツストリームが取得された際に、前記付随情報を生成するものであり、
前記送信手段は、
ユーザからの要求に基づいて、前記送信対象ストリームを送信する
ことを特徴とする請求項１記載の送信制御装置。
【請求項１０】
送信制御装置から送信された送信対象ストリームを受信する受信制御装置であって、
前記送信対象ストリームから第１の部分ストリームと、当該送信対象ストリームの予め定められた特定の位置に配置されている第２の部分ストリームとを取得する取得手段と、
前記取得手段が取得した前記第１の部分ストリームと前記第２の部分ストリームとを記憶する記憶手段とを備え、
前記第１の部分ストリームは、コンテンツと、自装置へのコンテンツの記録の制限レベルに係る制御を行うためのＣＣＩとを含むコンテンツストリームを含み、当該コンテンツは、複数の部分コンテンツから構成されており、
前記第２の部分ストリームは、前記コンテンツストリームの記録及び再生の少なくとも一方に必要な情報であって、前記ＣＣＩを含み、
前記第１及び第２の部分ストリームに含まれるＣＣＩは、前記部分コンテンツ毎に設定することが可能なものである
ことを特徴とする受信制御装置。
【請求項１１】
送信制御装置における送信制御方法であって、
外部から取得した、コンテンツと自装置へのコンテンツの記録の制限レベルに係る制御を行うためのＣＣＩとを含むコンテンツストリームに基づいて、当該コンテンツの記録及び再生の少なくとも一方に必要な情報であって、当該ＣＣＩを含む付随情報を生成する生成ステップと、
前記コンテンツストリームに基づくものであって、当該コンテンツの外部装置への記録の制限レベルに係る制御を行うためのＣＣＩを含む第１の部分ストリームを含み、かつ前記生成ステップにより生成された付随情報に基づくものであって、当該ＣＣＩを含む第２の部分ストリームを予め定められた特定の位置に配置した送信対象ストリームを、前記外部装置に送信する送信ステップとを含み、
前記コンテンツは、複数の部分コンテンツから構成されており、
前記第１及び第２の部分ストリームに含まれるＣＣＩは、前記部分コンテンツ毎に設定することが可能なものである
ことを特徴とする送信制御方法。
【請求項１２】
送信制御装置から送信された送信対象ストリームを受信する受信制御装置で用いられる受信制御方法であって、
前記受信制御装置は、
記憶手段を備え、
前記受信制御方法は、
前記送信対象ストリームから第１の部分ストリームと、当該送信対象ストリームの予め定められた特定の位置に配置されている第２の部分ストリームとを取得する取得ステップと、
前記取得ステップにより取得された前記第１の部分ストリームと前記第２部分ストリームとを前記記憶手段に記憶する記憶ステップとを含み、
前記第１の部分ストリームは、コンテンツと、自装置へのコンテンツの記録の制限レベルに係る制御を行うためのＣＣＩとを含むコンテンツストリームを含み、当該コンテンツは、複数の部分コンテンツから構成されており、
前記第２の部分ストリームは、前記コンテンツストリームの記録及び再生の少なくとも一方に必要な情報であって、前記ＣＣＩを含み、
前記第１及び第２の部分ストリームに含まれるＣＣＩは、前記部分コンテンツ毎に設定することが可能なものである
ことを特徴とする受信制御方法。
【請求項１３】
送信制御装置で用いられるプロセッサに送信制御処理を行わせるための送信制御プログラムであって、
前記送信制御処理は、
外部から取得した、コンテンツと自装置へのコンテンツの記録の制限レベルに係る制御を行うためのＣＣＩとを含むコンテンツストリームに基づいて、当該コンテンツの記録及び再生の少なくとも一方に必要な情報であって、当該ＣＣＩを含む付随情報を生成する生成ステップと、
前記コンテンツストリームに基づくものであって、当該コンテンツの外部装置への記録の制限レベルに係る制御を行うためのＣＣＩを含む第１の部分ストリームを含み、かつ前記生成ステップにより生成された付随情報に基づくものであって、当該ＣＣＩを含む第２の部分ストリームを予め定められた特定の位置に配置した送信対象ストリームを、前記外部装置に送信する送信ステップとを含み、
前記コンテンツは、複数の部分コンテンツから構成されており、
前記第１及び第２の部分ストリームに含まれるＣＣＩは、部分コンテンツ毎に設定することが可能なものである
ことを特徴とする送信制御プログラム。
【請求項１４】
送信制御装置で用いられる送信制御用集積回路であって、
外部から取得した、コンテンツと自装置へのコンテンツの記録の制限レベルに係る制御を行うためのＣＣＩとを含むコンテンツストリームに基づいて、当該コンテンツの記録及び再生の少なくとも一方に必要な情報であって、当該ＣＣＩを含む付随情報を生成する生成手段と、
前記コンテンツストリームに基づくものであって、当該コンテンツの外部装置への記録の制限レベルに係る制御を行うためのＣＣＩを含む第１の部分ストリームを含み、かつ前記生成手段が生成した付随情報に基づくものであって、当該ＣＣＩを含む第２の部分ストリームを予め定められた特定の位置に配置した送信対象ストリームを、前記外部装置に送信する送信手段とを備え、
前記コンテンツは、複数の部分コンテンツから構成されており、
前記第１及び第２の部分ストリームに含まれるＣＣＩは、部分コンテンツ毎に設定することが可能なものである
ことを特徴とする送信制御用集積回路。
【請求項１５】
送信制御装置から送信された送信対象ストリームを受信する受信制御装置で用いられる受信制御用集積回路であって、
前記送信対象ストリームから第１の部分ストリームと、当該送信対象ストリームの予め定められた特定の位置に配置されている第２の部分ストリームとを取得する取得手段と、
前記取得手段が取得した前記第１の部分ストリームと前記第２部分ストリームとを記憶する記憶手段とを備え、
前記第１の部分ストリームは、コンテンツと、自装置へのコンテンツの記録の制限レベルに係る制御を行うためのＣＣＩとを含むコンテンツストリームを含み、当該コンテンツは、複数の部分コンテンツから構成されており、
前記第２の部分ストリームは、前記コンテンツストリームの記録及び再生の少なくとも一方に必要な情報であって、前記ＣＣＩを含み、
前記第１及び第２の部分ストリームに含まれるＣＣＩは、前記部分コンテンツ毎に設定することが可能なものである
ことを特徴とする受信制御用集積回路。
【国際調査報告】
2011016241.tif 000017
2011016241.tif 000018
2011016241.tif 000019
2011016241.tif 000020